(57)【要約】【課題】占積率が高く且つコイルエンドの軸方向の高さを抑えることができるステータを提供する。【解決手段】ステータコア１２は、周方向に並ぶ複数のスロット１５を有する。複数相の巻線Ｍ１ｕ，Ｍ１ｖ，Ｍ１ｗ，Ｍ２ｕ，Ｍ２ｖ，Ｍ２ｗは、スロット１５に挿入されスロット１５を軸方向に貫通する複数の挿入導体２１、及びステータコア１２の軸方向の両側に配置され周方向に離間した位置にある挿入導体２１に接続されて挿入導体２１同士を連結する複数の連結導体３１〜３５によって分布巻に形成されている。そして、同相の巻線を構成する複数の連結導体３１〜３５は、互いに軸方向に重ならない。【選択図】図６
2014087186.tif 000002
【特許請求の範囲】
【請求項１】
周方向に並ぶ複数のスロットを有するステータコアと、
前記スロットに挿入され前記スロットを軸方向に貫通する複数の挿入導体、及び前記ステータコアの軸方向の両側に配置され周方向に離間した位置にある前記挿入導体に接続されて前記挿入導体同士を連結する複数の連結導体によって分布巻に形成された複数相の巻線と、
を備え、
同相の前記巻線を構成する複数の前記連結導体は、互いに軸方向に重ならないことを特徴とするステータ。
【請求項２】
請求項１に記載のステータにおいて、
各前記連結導体は、前記ステータコアの周方向に沿うように延びる周方向渡り部と、前記周方向渡り部の周方向の両端部から径方向に延び先端部に前記挿入導体に接続される接続部を有する径方向渡り部とを有し、
前記周方向渡り部は、前記径方向渡り部における前記ステータコアの軸方向の幅の範囲内に少なくとも一部が位置することを特徴とするステータ。
【請求項３】
請求項２に記載のステータにおいて、
各前記挿入導体は、前記ステータコアの軸方向に沿った直線状をなすことを特徴とするステータ。
【請求項４】
請求項２又は請求項３に記載のステータにおいて、
同相の前記巻線を構成する複数の前記連結導体は、前記ステータコアの軸方向の両側で、前記ステータコアの軸方向の端面からの高さが等しく配置されるとともに、前記周方向渡り部が前記径方向渡り部における前記ステータコアの軸方向の幅の範囲内に位置し、
異なる相の前記巻線を構成する前記連結導体は、前記ステータコアの軸方向の両側で、軸方向に完全にずれて軸方向に層状に積層されていることを特徴とするステータ。
【請求項５】
請求項４に記載のステータにおいて、
周方向に隣り合うどの２つの前記挿入導体が前記ステータコアの軸方向の一端側若しくは他端側で接続されるどの２つの前記接続部においても、一方の前記接続部は、他方の前記接続部を含む前記連結導体の層に対して軸方向に３層以上離間しない前記連結導体の層に含まれることを特徴とするステータ。
【請求項６】
請求項５に記載のステータにおいて、
周方向に隣り合う任意の２つの前記挿入導体が前記ステータコアの軸方向の一端側若しくは他端側で接続される２つの前記接続部は、
２つの前記接続部のうち一方の前記接続部が、他方の前記接続部を含む前記連結導体の層に対して軸方向に１層離間した前記連結導体の層に含まれるものと、
２つの前記接続部のうち一方の前記接続部が、他方の前記接続部を含む前記連結導体の層に対して軸方向に２層離間した前記連結導体の層に含まれるものと
があることを特徴とするステータ。
【請求項７】
請求項４に記載のステータにおいて、
周方向に連続して並んだ前記挿入導体が接続される複数の前記接続部は、周方向に前記スロット１個分進むごとに前記ステータコアの軸方向の端面に最も近い前記連結導体の層から前記ステータコアの軸方向の端面から最も遠い前記連結導体の層まで１層ずつ上がる階段状に繰り返し並んでいることを特徴とするステータ。
【請求項８】
請求項２乃至請求項７の何れか１項に記載のステータにおいて、
全ての前記挿入導体は、軸方向の長さが等しいことを特徴とするステータ。
【請求項９】
請求項２又は請求項３に記載のステータにおいて、
異なる相の前記巻線を構成する前記連結導体は、前記ステータコアの軸方向の両側で軸方向に層状に積層されており、
前記ステータコアの軸方向の端面から最も遠い前記連結導体の層と前記ステータコアの軸方向の端面との間に積層された前記連結導体の層を構成する各前記連結導体の前記径方向渡り部は、その基端と前記接続部との間に軸方向に延びる軸方向渡り部を有し、
前記ステータコアの軸方向の両側で、前記ステータコアに対する前記接続部の軸方向の位置が等しいことを特徴とするステータ。
【請求項１０】
請求項２乃至請求項９の何れか１項に記載のステータにおいて、
前記巻線に給電するための給電用導体となる前記挿入導体及び中性点を形成する中性点導体となる前記挿入導体以外の前記挿入導体は、全て同じ形状をなすことを特徴とするステータ。
【請求項１１】
請求項２乃至請求項１０の何れか１項に記載のステータにおいて、
前記連結導体は、絶縁被膜を備えない導電性板材から形成されており、
前記ステータコアの軸方向に隣り合う前記連結導体の層の間には、インシュレータが介在されていることを特徴とするステータ。
【請求項１２】
請求項２乃至請求項１１の何れか１項に記載のステータにおいて、
前記ステータコアの軸方向の両側に配置された複数の前記連結導体は、前記ステータコアの軸方向の両側でそれぞれ絶縁性の樹脂材料により一体化されていることを特徴とするステータ。
【請求項１３】
請求項２乃至請求項１２の何れか１項に記載のステータにおいて、
前記ステータコアは、円環状をなす環状部と、該環状部の内周面から径方向内側に延びる複数のティースとを有し、
全ての前記周方向渡り部は、前記環状部の径方向の厚さの範囲内に配置されていることを特徴とするステータ。
【請求項１４】
請求項１乃至請求項１３の何れか１項に記載のステータを備えたことを特徴とするモータ。
【発明の詳細な説明】
【技術分野】
【０００１】
本発明は、ステータ及び該ステータを備えたモータに関するものである。
【背景技術】
【０００２】
一般的に、ステータコアのスロットに巻線を分布巻にて巻装して形成されたステータは、該ステータにおける磁界分布の偏重が緩和されるため、当該ステータを備えたモータを駆動した時の振動を小さく抑えることができる。しかしながら、分布巻の巻線を電線で形成すると、スロットの内部で巻線同士が干渉して占積率が低くなったり、ステータコアの軸方向の端部において複数の巻線が軸方向に重なり合うためにコイルエンド（即ち巻線においてステータコアの軸方向の端面よりも軸方向に突出する部分）が軸方向に高くなってしまったりする。
【０００３】
そこで、例えば特許文献１に記載されているように、ステータの巻線を複数のセグメントにて構成したものがある。各セグメントは、銅板をプレス加工により打ち抜いて形成されている。そして、各セグメントは、棒状をなしスロットに挿入される一対の電気導体と、対をなす電気導体同士の長手方向の一端部を連結するターン部とから構成されており、略Ｕ字状をなしている。各セグメントのターン部は、一対の電気導体がスロットに挿入された状態において、一対の電気導体のうち一方の電気導体からステータコアの軸方向に対して傾斜するように且つステータコアの軸方向の一端面（ターン部が配置された側の端面）から離間するように延びた後、ステータコアの軸方向の一端面に近づくように且つステータコアの軸方向に対して傾斜するように他方の電気導体まで延びている。即ち、ターン部は、径方向から見た形状がステータコア側に開く略Ｖ字状をなしている。更に、複数のセグメントは、ターン部が軸方向に重なるようにステータコアに対して配置されている。また、各電気導体の先端部（電気導体におけるターン部と反対側の長手方向の端部）は、ステータコアの軸方向に対して傾斜するように周方向に屈曲されるとともに、その先端において対応するセグメントの電気導体の先端と溶接等により接続されている。
【０００４】
このように、略Ｕ字状をなす複数のセグメントから巻線を構成すると、スロットに軸方向から挿入される電気導体の断面形状をスロットの断面形状に応じた形状とすることができるため、占積率を高くすることができる。
【先行技術文献】
【特許文献】
【０００５】
【特許文献１】特許第３３０３７７３号公報
【発明の概要】
【発明が解決しようとする課題】
【０００６】
特許文献１に記載されているように略Ｕ字状をなす複数のセグメントから巻線を構成することにより占積率を高くすることはできる。しかしながら、ステータコアの軸方向の端面から突出したターン部は、ステータコアの軸方向に対して傾斜する部分を有するとともに、ステータコアの軸方向の一端側で複数のターン部が軸方向に重なっている。更に、各電気導体の先端部は、ステータコアの軸方向の他端側で同ステータコアの軸方向に対して傾斜するように周方向に屈曲されている。そのため、巻線においてステータコアの軸方向の端面から突出した部分であるコイルエンドが軸方向に高くなってしまうという問題があった。そして、このステータを備えたモータは、軸方向に大型化される虞があった。
【０００７】
本発明は、こうした実情に鑑みてなされたものであって、その目的は、占積率が高く且つコイルエンドの軸方向の高さを抑えることができるステータ及びモータを提供することにある。
【課題を解決するための手段】
【０００８】
上記課題を解決するため、請求項１に記載の発明は、周方向に並ぶ複数のスロットを有するステータコアと、前記スロットに挿入され前記スロットを軸方向に貫通する複数の挿入導体、及び前記ステータコアの軸方向の両側に配置され周方向に離間した位置にある前記挿入導体に接続されて前記挿入導体同士を連結する複数の連結導体によって分布巻に形成された複数相の巻線と、を備え、同相の前記巻線を構成する複数の前記連結導体は、互いに軸方向に重ならないことをその要旨としている。
【０００９】
同構成によれば、各相の巻線を構成する挿入導体は、スロットに軸方向から挿入されるものであるため、挿入導体の断面形状をスロットの断面形状に応じた形状とすることができる。従って、占積率を高くすることができる。また、周方向に離間した位置にある挿入導体は、ステータコアの軸方向の両側に配置され挿入導体に接続される連結導体によって連結されている。そのため、挿入導体若しくは連結導体に、従来の巻線を構成するセグメントのようにステータコアの軸方向の両側で同ステータコアの軸方向に対して傾斜する部分を設けなくてもよい。更に、各相の巻線においては、複数の連結導体は、互いに軸方向に重ならない。従って、挿入導体及び連結導体がステータコアの軸方向の端面から軸方向に大きく突出することが抑制される。即ち、コイルエンドの軸方向の高さを抑えることができる。
【００１０】
請求項２に記載の発明は、請求項１に記載のステータにおいて、各前記連結導体は、前記ステータコアの周方向に沿うように延びる周方向渡り部と、前記周方向渡り部の周方向の両端部から径方向に延び先端部に前記挿入導体に接続される接続部を有する径方向渡り部とを有し、前記周方向渡り部は、前記径方向渡り部における前記ステータコアの軸方向の幅の範囲内に少なくとも一部が位置することをその要旨としている。
【００１１】
同構成によれば、各連結導体においては、周方向渡り部の少なくとも一部が、径方向渡り部の軸方向の幅の範囲内に位置する。そのため、各連結導体におけるステータコアの軸方向の幅が広くなることが抑制されている。従って、コイルエンドの軸方向の高さを更に抑えることができる。
【００１２】
請求項３に記載の発明は、請求項２に記載のステータにおいて、各前記挿入導体は、前記ステータコアの軸方向に沿った直線状をなすことをその要旨としている。
同構成によれば、各挿入導体をステータコアの軸方向からスロットに容易に挿入することができる。そして、挿入導体は、該挿入導体に接続される連結導体によって連結されるものであるため、当該挿入導体をスロットに収容した後に周方向に折り曲げなくてもよい。従って、ステータの製造が容易となるため、製造コストを低減することができる。また、挿入導体をスロットに収容した後に同挿入導体を折り曲げなくてもよいため、挿入導体と連結導体との接続不良を抑制することができる。
【００１３】
請求項４に記載の発明は、請求項２又は請求項３に記載のステータにおいて、同相の前記巻線を構成する複数の前記連結導体は、前記ステータコアの軸方向の両側で、前記ステータコアの軸方向の端面からの高さが等しく配置されるとともに、前記周方向渡り部が前記径方向渡り部における前記ステータコアの軸方向の幅の範囲内に位置し、異なる相の前記巻線を構成する前記連結導体は、前記ステータコアの軸方向の両側で、軸方向に完全にずれて軸方向に層状に積層されていることをその要旨としている。
【００１４】
同構成によれば、同相の巻線を構成する各連結導体は、その周方向渡り部がその径方向渡り部における前記ステータコアの軸方向の範囲内に位置する。更に、同相の巻線を構成する複数の連結導体は、ステータコアの軸方向の両側で、ステータコアの軸方向の端面からの高さ（軸方向の高さ）が等しく配置されている。そのため、各相の巻線は、ステータコアの軸方向の両側で軸方向の厚さが厚くなることがそれぞれ抑制されている。従って、コイルエンドの軸方向の高さを一層抑えることができる。また、異なる相の巻線を構成する連結導体は、ステータコアの軸方向の両側で、軸方向に完全にずれて軸方向に層状に積層されている。そのため、異なる相の巻線を構成する連結導体同士の絶縁性を確保し易くなる。更に、異なる相の巻線を構成する連結導体の接続部同士が径方向に重ならない。即ち、１つの相の巻線を構成する連結導体の接続部の軸方向の幅の範囲内に、他の相の巻線を構成する連結導体の接続部が配置されない。従って、異なる相の巻線同士の絶縁性を確保しつつ、接続部と挿入導体とを容易に接続することができる。これらのことから、各相の巻線同士の絶縁性を確保しやすい。
【００１５】
請求項５に記載の発明は、請求項４に記載のステータにおいて、周方向に隣り合うどの２つの前記挿入導体が前記ステータコアの軸方向の一端側若しくは他端側で接続されるどの２つの前記接続部においても、一方の前記接続部は、他方の前記接続部を含む前記連結導体の層に対して軸方向に３層以上離間しない前記連結導体の層に含まれることをその要旨としている。
【００１６】
同構成によれば、ステータコアの軸方向の一端側若しくは他端側で、挿入導体と接続部とをステータコアの周方向に順に溶接にて接続する場合に、ステータコアに対して溶接装置の溶接ガンを軸方向に移動させる量は、最大で連結導体の層をステータコアの軸方向に２層跨ぐ量となる。従って、ステータコアに対して溶接ガンを軸方向に移動させる量を少なく抑えることができ、溶接ガンの移動にかかる時間を短縮することができる。その結果、挿入導体と接続部との接続に要する時間を短くすることができるため、挿入導体と接続部との接続にかかるコストを減少させることができる。そして、ステータの生産性が向上するため、ひいてはステータの製造コストを減少させることができる。
【００１７】
請求項６に記載の発明は、請求項５に記載のステータにおいて、周方向に隣り合う任意の２つの前記挿入導体が前記ステータコアの軸方向の一端側若しくは他端側で接続される２つの前記接続部は、２つの前記接続部のうち一方の前記接続部が、他方の前記接続部を含む前記連結導体の層に対して軸方向に１層離間した前記連結導体の層に含まれるものと、２つの前記接続部のうち一方の前記接続部が、他方の前記接続部を含む前記連結導体の層に対して軸方向に２層離間した前記連結導体の層に含まれるものとがあることをその要旨としている。
【００１８】
同構成によれば、ステータコアの軸方向の一端側若しくは他端側で挿入導体と接続部とをステータコアの周方向に順に溶接にて接続する場合に、ステータコアに対して溶接装置の溶接ガンを軸方向に移動させる量は、連結導体の層をステータコアの軸方向に１層跨ぐ量、若しくは連結導体の層をステータコアの軸方向に２層跨ぐ量の何れかの量となる。従って、ステータコアに対して溶接ガンを軸方向に移動させる量が、全て連結導体の層をステータコアの軸方向に２層跨ぐ量である場合に比べて、ステータコアに対して溶接ガンを軸方向に移動させる量をより少なく抑えることができる。よって、溶接ガンの移動にかかる時間をより短縮することができる。その結果、挿入導体と接続部との接続に要する時間をより短くすることができるため、挿入導体と接続部との接続にかかるコストをより減少させることができる。そして、ステータの生産性がより向上するため、ひいてはステータの製造コストをより減少させることができる。
【００１９】
請求項７に記載の発明は、請求項４に記載のステータにおいて、周方向に連続して並んだ前記挿入導体が接続される複数の前記接続部は、周方向に前記スロット１個分進むごとに前記ステータコアの軸方向の端面に最も近い前記連結導体の層から前記ステータコアの軸方向の端面から最も遠い前記連結導体の層まで１層ずつ上がる階段状に繰り返し並んでいることをその要旨としている。
【００２０】
同構成によれば、ステータコアの軸方向の一端側若しくは他端側で挿入導体と接続部とをステータコアの周方向に順に溶接にて接続する場合、溶接装置の溶接ガンを周方向にスロット１個分移動させるごとに、同溶接ガンをステータコアの軸方向に連結導体の層１層分ずつ移動させることで、次に挿入導体と接続部とを接続する位置に溶接ガンを配置することができる。従って、ステータコアに対して溶接ガンを軸方向に移動させる量を少なく抑えることができ、溶接ガンの移動にかかる時間を短縮することができる。その結果、挿入導体と接続部との接続に要する時間を短くすることができるため、挿入導体と接続部との接続にかかるコストを減少させることができる。そして、ステータの生産性が向上するため、ひいてはステータの製造コストを減少させることができる。
【００２１】
請求項８に記載の発明は、請求項２乃至請求項７の何れか１項に記載のステータにおいて、全ての前記挿入導体は、軸方向の長さが等しいことをその要旨としている。
同構成によれば、全ての挿入導体の軸方向の長さが等しいため、挿入導体の製造及び挿入導体の部品管理が容易となる。
【００２２】
請求項９に記載の発明は、請求項２又は請求項３に記載のステータにおいて、異なる相の前記巻線を構成する前記連結導体は、前記ステータコアの軸方向の両側で軸方向に層状に積層されており、前記ステータコアの軸方向の端面から最も遠い前記連結導体の層と前記ステータコアの軸方向の端面との間に積層された前記連結導体の層を構成する各前記連結導体の前記径方向渡り部は、その基端と前記接続部との間に軸方向に延びる軸方向渡り部を有し、前記ステータコアの軸方向の両側で、前記ステータコアに対する前記接続部の軸方向の位置が等しいことをその要旨としている。
【００２３】
同構成によれば、ステータコアの軸方向の一端側にある全ての接続部は、ステータコアに対する軸方向の位置が等しい。同様に、ステータコアの軸方向の他端側にある全ての接続部は、ステータコアに対する軸方向の位置が等しい。従って、挿入導体と接続部とを溶接にて接続する場合に、溶接装置の溶接ガンの軸方向の移動量を最小限に抑えることができる。よって、溶接ガンの移動にかかる時間を最小限に抑えることができる。その結果、挿入導体と接続部との接続に要する時間を短くすることができるため、挿入導体と接続部との接続にかかるコストを減少させることができる。そして、ステータの生産性が向上するため、ひいてはステータの製造コストを減少させることができる。
【００２４】
請求項１０に記載の発明は、請求項２乃至請求項９の何れか１項に記載のステータにおいて、前記巻線に給電するための給電用導体となる前記挿入導体及び中性点を形成する中性点導体となる前記挿入導体以外の前記挿入導体は、全て同じ形状をなすことをその要旨としている。
【００２５】
同構成によれば、給電用導体となる挿入導体及び中性点導体となる挿入導体以外の挿入導体は全て同じ形状をなすため、挿入導体の製造及び挿入導体の部品管理がより容易となる。従って、ステータの製造コストをより減少させることができる。
【００２６】
請求項１１に記載の発明は、請求項２乃至請求項１０の何れか１項に記載のステータにおいて、前記連結導体は、絶縁被膜を備えない導電性板材から形成されており、前記ステータコアの軸方向に隣り合う前記連結導体の層の間には、インシュレータが介在されていることをその要旨としている。
【００２７】
同構成によれば、連結導体は、絶縁被膜を備えない導電性板材から形成されるため、接続部における絶縁被膜を除去する工程を行うことなく連結導体を形成することができる。従って、連結導体にかかる製造コストを減少させることができる。また、ステータコアの軸方向に隣り合う連結導体の層の間には、インシュレータが介在されるため、該インシュレータによって軸方向に隣り合う連結導体同士の電気的絶縁性が確保される。また、異なる相の巻線を構成する連結導体は、軸方向に層状に積層されているため、軸方向に隣り合う連結導体の層の間に容易にインシュレータを介在させることができる。
【００２８】
請求項１２に記載の発明は、請求項２乃至請求項１１の何れか１項に記載のステータにおいて、前記ステータコアの軸方向の両側に配置された複数の前記連結導体は、前記ステータコアの軸方向の両側でそれぞれ絶縁性の樹脂材料により一体化されていることをその要旨としている。
【００２９】
同構成によれば、絶縁性の樹脂材料で一体化された複数の連結導体をステータコアに対して配置することで、ステータコア及び該ステータコアのスロットに挿入された挿入導体に対する複数の連結導体の位置決めを同時に行うことができる。従って、複数の連結導体の組付け及び複数の連結導体の位置決めを容易に行うことができる。また、複数の連結導体が樹脂材料にて一体化されているため、連結導体同士の位置ずれが抑制されている。従って、連結導体をステータコアに対して組み付ける時に、連結導体同士が位置ずれすることを抑制できる。そして、複数の連結導体のステータコアに対する組付けを容易に行うことができるため、ステータコア及び挿入導体に対する連結導体の組付け誤差を低減させることができる。
【００３０】
請求項１３に記載の発明は、請求項２乃至請求項１２の何れか１項に記載のステータにおいて、前記ステータコアは、円環状をなす環状部と、該環状部の内周面から径方向内側に延びる複数のティースとを有し、全ての前記周方向渡り部は、前記環状部の径方向の厚さの範囲内に配置されていることをその要旨としている。
【００３１】
同構成によれば、挿入導体と接続部とをアーク溶接にて接続する場合、径方向外側からアース電極を周方向渡り部に容易に接触させることができる。従って、挿入導体と接続部との溶接による接続を容易に行うことができる。その結果、挿入導体と接続部との接続にかかるコストを更に減少させることができる。
【００３２】
請求項１４に記載の発明は、請求項１乃至請求項１３の何れか１項に記載のステータを備えたモータとしたことをその要旨としている。
同構成によれば、モータは、占積率が高く且つコイルエンドの軸方向の高さが抑えられたステータを備えているため、当該モータを高性能とすることができるとともに、当該モータの軸方向の大型化を抑制することができる。
【発明の効果】
【００３３】
本発明によれば、占積率の高さを維持したままコイルエンドの軸方向の高さを抑えることができる。
【図面の簡単な説明】
【００３４】
【図１】ブラシレスモータの模式図。
【図２】（ａ）はステータの断面図、（ｂ）はステータの部分拡大断面図。
【図３】巻線を平面状に展開した模式図。
【図４】巻線を平面状に展開した模式図。
【図５】巻線を平面状に展開した模式図。
【図６】ステータの斜視図。
【図７】第１系統のＵ相の巻線及び第２系統のＵ相の巻線の分解斜視図。
【図８】挿入導体と連結導体との接続部分の拡大斜視図。
【図９】（ａ）は第１連結導体の平面図、（ｂ）及び（ｃ）は第１連結導体の側面図。
【図１０】（ａ）はステータコアの一端側に積層された１層目の連結導体、ステータコア及び挿入導体の平面図、（ｂ）はステータコアの一端側に積層された１層目の連結導体、ステータコア及び挿入導体の部分拡大図。
【図１１】ステータコアの一端側に積層された２層目の連結導体、ステータコア及び挿入導体の平面図。
【図１２】ステータコアの一端側に積層された３層目の連結導体、ステータコア及び挿入導体の平面図。
【図１３】ステータコアの一端側に積層された４層目の連結導体、ステータコア及び挿入導体の平面図。
【図１４】ステータコアの一端側に積層された５層目の連結導体、ステータコア及び挿入導体の平面図。
【図１５】ステータコアの一端側に積層された６層目の連結導体、ステータコア及び挿入導体の平面図。
【図１６】ステータを平面状に展開した模式図。
【図１７】（ａ）第１系統の３相巻線の結線状態を示す電気回路図、（ｂ）第２系統の３相巻線の結線状態を示す電気回路図。
【図１８】（ａ）はステータコアの他端側に積層された１層目の連結導体、ステータコア及び挿入導体の平面図、（ｂ）はステータコアの他端側に積層された１層目の連結導体、ステータコア及び挿入導体の部分拡大図。
【図１９】ステータコアの他端側に積層された２層目の連結導体、ステータコア及び挿入導体の平面図。
【図２０】ステータコアの他端側に積層された３層目の連結導体、ステータコア及び挿入導体の平面図。
【図２１】ステータコアの他端側に積層された４層目の連結導体、ステータコア及び挿入導体の平面図。
【図２２】ステータコアの他端側に積層された５層目の連結導体、ステータコア及び挿入導体の平面図。
【図２３】ステータコアの他端側に積層された６層目の連結導体、ステータコア及び挿入導体の平面図。
【図２４】第１系統のＵ相の巻線及び第２系統のＵ相の巻線を平面状に展開した模式図。
【図２５】第１系統のＵ相の巻線及び第２系統のＵ相の巻線を平面状に展開した模式図。
【図２６】第１系統のＵ相の巻線及び第２系統のＵ相の巻線を平面状に展開した模式図。
【図２７】絶縁性の樹脂材料で一体化された複数の連結導体を用いたステータの分解側面図。
【図２８】ステータコアに対する接続部の軸方向位置が等しいステータを平面状に展開した模式図。
【図２９】接続部が軸方向に１層ずつ上がる階段状に配置されたステータを平面状に展開した模式図。
【発明を実施するための形態】
【００３５】
以下、ステータを備えたモータの一実施形態を図面に従って説明する。
図１に示すように、ブラシレスモータ１のモータケース２は、有底筒状に形成されたヨーク３と、該ヨーク３の開口部を閉塞するエンドプレート４とを有する。また、ヨーク３の底部側の端部の外側には、収容ボックス５が取着されている。
【００３６】
ヨーク３の内周面には、ステータ１１が固定されている。このステータ１１は、ヨーク３の内周面に固定されたステータコア１２と、該ステータコア１２に巻装された巻線Ｍとを有する。
【００３７】
図２（ａ）に示すように、ステータコア１２は、円環状をなす環状部１３と、該環状部１３から径方向内側に延び周方向に並ぶ複数のティース１４とから構成されている。本実施形態では、ステータコア１２は、６０個のティース１４を有する。そして、これらのティース１４は、周方向に等角度間隔（本実施形態では６°間隔）に設けられている。尚、周方向に隣り合うティース１４間の空間は、スロット１５となっている。本実施形態では、ステータコア１２は、６０個のティース１４を有するため、６０個のスロット１５を有する。これらのスロット１５は、ステータコア１２の周方向に並んでいる。尚、説明の便宜上、ステータコア１２において、１つのティース１４の周方向の位置に対応した基準位置Ｐを設定する。更に、図２（ａ）において、基準位置Ｐにあるティース１４の時計方向側に位置するスロット１５から順にスロット番号「１」〜「６０」を付す。図２（ａ）においては、スロット番号は、対応するスロット１５の径方向内側に、白丸で囲んで図示している。また、図面が煩雑となることを避けるために、スロット番号「１」〜「６０」のうち、スロット番号「１」から順に５とびの番号のみを図示している。
【００３８】
図３乃至図５に示すように、前記巻線Ｍは、ステータコア１２のスロット１５に巻装されている。本実施形態の巻線Ｍは、Ｕ相、Ｖ相、Ｗ相からなる第１系統の３相巻線Ｍ１と、Ｕ相、Ｖ相、Ｗ相からなる第２系統の３相巻線Ｍ２とから構成されている。即ち、本実施形態の巻線Ｍは、合計で６相の巻線から構成されている。
【００３９】
図６に示すように、巻線Ｍは、複数のセグメントから構成されたＳＣ巻線（セグメントコンダクタ巻線）である。巻線Ｍは、スロット１５に挿入される複数の挿入導体２１と、複数の連結導体３１〜３５とを備えている。
【００４０】
図２（ａ）及び図２（ｂ）に示すように、各スロット１５には、挿入導体２１が４本ずつ挿入されている。各スロット１５において、４本の挿入導体２１の外周面は、同挿入導体２１とステータコア１２とを電気的に絶縁するシート状の挿入用インシュレータ４１にて外周面が覆われている。また、この挿入用インシュレータ４１は、同じスロット１５に挿入された挿入導体２１同士の電気的な絶縁性も確保している。尚、図３乃至図５においては、各スロット１５に挿入された４本の挿入導体２１のうち、径方向内側から１番目の挿入導体２１を破線で図示し、径方向内側から２番目の挿入導体２１を実線にて図示し、径方向内側から３番目の挿入導体２１を一点鎖線で図示し、径方向内側から４番目の挿入導体２１を二点鎖線で図示している。
【００４１】
図６及び図７に示すように、本実施形態では、全ての挿入導体２１は同じ形状をなしている。挿入導体２１は、絶縁被膜を備えない導線性板材を加工して棒状に形成されている。そして、挿入導体２１は、ステータコア１２の軸方向に沿った直線状をなしており、本実施形態では、略四角柱状をなしている。この挿入導体２１の長手方向の長さは、ステータコア１２の軸方向の長さよりも長く形成されている。そして、スロット１５にステータコア１２の軸方向から挿入された挿入導体２１は、スロット１５を軸方向に貫通し、その長手方向の両端部がスロット１５からステータコア１２の軸方向の両側に突出している。また、挿入導体２１においてスロット１５の内部に収容された部分の周方向の幅は、スロット１５の周方向の幅よりも若干狭い幅となっている。更に挿入導体２１においてスロット１５の内部に収容された部分の径方向の幅は、スロット１５の径方向の幅の４分の１よりも若干狭い幅となっている。
【００４２】
また、図６乃至図８に示すように、挿入導体２１の長手方向の一端部（図６及び図７において左側の端部）には、第１端部接続部２２が形成されている。第１端部接続部２２は、挿入導体２１の長手方向の一端部の径方向（ステータコア１２の径方向）の幅を狭く形成した部分である。そして、第１端部接続部２２は、挿入導体２１の長手方向の一端部において、径方向内側の端部に設けられている。この第１端部接続部２２が設けられることにより、挿入導体２１の長手方向の一端部における径方向外側の端部には、段差状の凹部が形成されている。更に、挿入導体２１には、第１端部接続部２２の基端（即ち第１端部接続部２２における挿入導体２１の長手方向の中央部に近い方の端）の径方向外側に第１当接面２３が形成されている。第１当接面２３は、挿入導体２１の長手方向と略直交する平面状をなしている。
【００４３】
また、挿入導体２１の長手方向の他端部（図６及び図７において右側の端部）には、前記第１端部接続部２２と同様の形状をなす第２端部接続部２４が形成されている。第２端部接続部２４は、挿入導体２１の長手方向の他端部の径方向（ステータコア１２の径方向）の幅を狭く形成した部分である。そして、第２端部接続部２４は、挿入導体２１の長手方向の他端部において、径方向内側の端部に設けられている。この第２端部接続部２４が設けられることにより、挿入導体２１の長手方向の他端部における径方向外側の端部には、段差状の凹部が形成されている。更に、挿入導体２１には、第２端部接続部２４の基端（即ち第２端部接続部２４における挿入導体２１の長手方向の中央部に近い方の端）の径方向外側に第２当接面２５が形成されている。第２当接面２５は、挿入導体２１の長手方向と略直交する平面状をなしている。
【００４４】
図６に示すように、ステータコア１２の軸方向の一端側（図６において左側であって前記第１端部接続部２２が突出した側）には、連結導体３１，３２，３３（即ち第１連結導体３１、第２連結導体３２及び第３連結導体３３）が軸方向に層状に積層されている。本実施形態では、連結導体３１，３２，３３は、ステータコア１２の軸方向の一端側で巻線Ｍの相の数と同数の６層積層されている。
【００４５】
図６、図７及び図１０（ａ）に示すように、ステータコア１２の軸方向の一端側に積層された連結導体３１，３２，３３のうち、ステータコア１２の軸方向の一端面に最も近い１層目の連結導体３１，３２，３３は、第１系統の３相巻線Ｍ１のＵ相の巻線Ｍ１ｕを構成するものである。ステータコア１２の軸方向の一端側に積層された連結導体３１，３２，３３の層のうち、１層目は、９個の第１連結導体３１、９個の第２連結導体３２及び１個の第３連結導体３３から構成されている。
【００４６】
図９（ａ）及び図１０（ｂ）に示すように、第１連結導体３１は、絶縁被膜を備えない導電性板材から形成されており、その長手方向の複数箇所が屈曲された帯状をなしている。第１連結導体３１は、ステータコア１２の周方向に沿うように延びる第１周方向渡り部５１と、該第１周方向渡り部５１の周方向（本実施形態では第１周方向渡り部５１の長手方向に同じ）の両端部から径方向に延びる２つの第１径方向渡り部５２，５３とから構成されている。
【００４７】
図９（ｂ）及び図１０（ｂ）に示すように、第１周方向渡り部５１は軸方向の幅Ｈ１が一定の帯状をなしている。また、本実施形態の第１周方向渡り部５１の厚さ（ステータコア１２の径方向における厚さ）は、ステータコア１２の環状部１３の径方向の幅の半分以下の厚さとなっている。更に、第１周方向渡り部５１は、環状部１３の周方向に沿うように長手方向の複数箇所が屈曲されており、ステータコア１２の軸方向から見て環状部１３の径方向の幅の範囲内に収まるように形成されている。また、第１周方向渡り部５１は、周方向に連続して並ぶ５個のスロット１５を周方向に跨ぐ長さに形成されている。
【００４８】
第１連結導体３１において、２つの前記第１径方向渡り部５２，５３は、第１周方向渡り部５１の周方向の両端部からステータコア１２の径方向に沿って径方向内側に延びている。第１径方向渡り部５２は軸方向の幅Ｈ２が一定の帯状をなすとともに、第１径方向渡り部５３は軸方向の幅Ｈ３が一定の帯状をなしている。本実施形態では、第１径方向渡り部５２の軸方向の幅Ｈ２及び第１径方向渡り部５３の軸方向の幅Ｈ３は、第１周方向渡り部５１の軸方向の幅Ｈ１と等しい。また、各第１径方向渡り部５２，５３の厚さは、ティース１４の周方向の幅の半分以下の幅となっており、本実施形態では、第１周方向渡り部５１の厚さと等しい。即ち、本実施形態の第１連結導体３１は、その長手方向の全体に亘って軸方向の幅及び厚さが一定であり、長手方向に沿って断面積が一定となっている。
【００４９】
図１０（ａ）及び図１０（ｂ）に示すように、第１連結導体３１における２つの第１径方向渡り部５２，５３のうち、ステータコア１２の軸方向の一方側（第１端部接続部２２側）から見て反時計方向側に位置する一方の第１径方向渡り部５２の先端部には、第１接続部５４が形成されている。第１接続部５４は、第１径方向渡り部５２の先端部を他方の第１径方向渡り部５３と反対側に略直角に屈曲して形成されている。そして、第１径方向渡り部５２の径方向の長さは、第１周方向渡り部５１が環状部１３上に位置するように第１連結導体３１がステータコア１２の軸方向の一端側に配置された状態において、スロット１５に挿入された４本の挿入導体２１のうち径方向内側から２番目の挿入導体２１の第１当接面２３に第１接続部５４が達する長さとなっている。また、第１接続部５４の長さ（第１接続部５４の基端と先端との間の長さ）は、第１当接面２３の周方向の長さより若干長く形成されている。更に、第１接続部５４の厚さは、第１当接面２３の径方向の幅と略等しくなっている。
【００５０】
図９（ｂ）、図９（ｃ）及び図１０（ａ）に示すように、第１接続部５４を有する第１径方向渡り部５２は、第１周方向渡り部５１に対してその基端から先端までステータコア１２の軸方向の位置が変化していない。そして、第１径方向渡り部５２は、第１周方向渡り部５１におけるステータコア１２の軸方向の幅Ｈ１の範囲内に位置する。本実施形態では、第１径方向渡り部５２は、第１周方向渡り部５１におけるステータコア１２の軸方向の幅Ｈ１の範囲と同じ範囲に亘って形成されている。
【００５１】
図１０（ａ）及び図１０（ｂ）に示すように、第１連結導体３１における２つの第１径方向渡り部５２，５３のうち、ステータコア１２の軸方向の一方側（第１端部接続部２２側）から見て時計方向側に位置する他方の第１径方向渡り部５３の先端部には、第２接続部５５が形成されている。第２接続部５５は、第１径方向渡り部５３の先端部を一方の第１径方向渡り部５２と反対側に略直角に屈曲して形成されている。そして、第１径方向渡り部５３の径方向の長さは、第１周方向渡り部５１が環状部１３上に位置するように第１連結導体３１がステータコア１２の軸方向の一端側に配置された状態において、スロット１５に挿入された４本の挿入導体２１のうち径方向内側から４番目の挿入導体２１の第１当接面２３に第１接続部５４が達する長さとなっている。また、第２接続部５５の長さ（第２接続部５５の基端と先端との間の長さ）は、第１当接面２３の周方向の長さより若干長く形成されている。更に、第２接続部５５の厚さは、第１当接面２３の径方向の幅と略等しくなっている。
【００５２】
図９（ｂ）及び図１０（ａ）に示すように、第２接続部５５を有する第１径方向渡り部５３は、第１周方向渡り部５１に対してその基端から先端までステータコア１２の軸方向の位置が変化していない。そして、第１径方向渡り部５３は、第１周方向渡り部５１におけるステータコア１２の軸方向の幅Ｈ１の範囲内に位置する。本実施形態では、第１径方向渡り部５３は、第１周方向渡り部５１におけるステータコア１２の軸方向の幅Ｈ１の範囲と同じ範囲に亘って形成されている。即ち、本実施形態の第１連結導体３１においては、第１周方向渡り部５１は、ステータコア１２の軸方向には、第１径方向渡り部５２におけるステータコア１２の軸方向の幅Ｈ２及び第１径方向渡り部５３におけるステータコア１２の軸方向の幅Ｈ３の範囲と同じ範囲に形成されている。
【００５３】
図１０（ａ）及び図１０（ｂ）に示すように、このような第１連結導体３１は、ステータコア１２の軸方向の一端側で、６個離れた位置にある（即ち５個置きの）２つのスロット１５のうち反時計方向側の一方のスロット１５に挿入された径方向内側から２番目の挿入導体２１と、時計方向側の他方のスロット１５に挿入された径方向内側から４番目の挿入導体２１とを連結する。第１連結導体３１の第１接続部５４は、接続される挿入導体２１の第１端部接続部２２の径方向外側に配置されて同第１端部接続部２２と径方向に隣り合うとともに、第１当接面２３上に配置されている。そして、同第１接続部５４と第１端部接続部２２とが接合されている。また、第１連結導体３１の第２接続部５５は、接続される挿入導体２１の第１端部接続部２２の径方向外側に配置されて同第１端部接続部２２と径方向に隣り合うとともに、第１当接面２３上に配置されている。そして、同第２接続部５５と第１端部接続部２２とが接合されている。尚、第１径方向渡り部５２における第１接続部５４よりも基端側の部分、及び第１径方向渡り部５３における第２接続部５５よりも基端側の部分は、それぞれティース１４の軸方向の一端側に配置されている。
【００５４】
そして、ステータコア１２の軸方向の一端側で１層目に積層された、第１系統の３相巻線Ｍ１のＵ相の巻線Ｍ１ｕを構成する９個の第１連結導体３１は、周方向に等角度間隔（本実施形態では３６°間隔）に並設されている。また、当該９個の第１連結導体３１は、第１周方向渡り部５１が環状部１３上に（環状部１３と軸方向に並ぶ位置に）配置されるとともに、第１径方向渡り部５２，５３がそれぞれティース１４上に（ティース１４と軸方向に並ぶ位置に）配置されている。そして、当該９個の第１連結導体３１は、径方向の位置が等しく配置されるとともに、軸方向の位置が等しく配置されている。また、当該９個の第１連結導体３１の第１径方向渡り部５２の第１接続部５４は、スロット番号「５５」，「１」，「７」，「１３」，「１９」，「２５」，「３１」，「３７」，「４３」のスロット１５に挿入された４本の挿入導体２１のうち径方向内側から２番目の挿入導体２１の第１端部接続部２２に接続されている。また当該９個の第１連結導体３１の第１径方向渡り部５３の第２接続部５５は、各第１連結導体３１の第１接続部５４が接続された挿入導体２１が挿入されたスロット１５から時計方向に６個進んだ位置にあるスロット１５に挿入された４本の挿入導体２１のうち径方向内側から４番目の挿入導体２１の第１端部接続部２２に接続されている。即ち、当該９個の第１連結導体３１の第１径方向渡り部５３の第２接続部５５は、スロット番号「１」，「７」，「１３」，「１９」，「２５」，「３１」，「３７」，「４３」，「４９」のスロット１５に挿入された４本の挿入導体２１のうち径方向内側から４番目の挿入導体２１の第１端部接続部２２に接続されている。
【００５５】
前記第２連結導体３２は、前記第１連結導体３１と同様に、絶縁被膜を備えない導電性板材から形成されており、その長手方向の複数箇所が屈曲された帯状をなしている。第２連結導体３２は、ステータコア１２の周方向に沿うように延びる第２周方向渡り部５６と、該第２周方向渡り部５６の周方向（本実施形態では第２周方向渡り部５６の長手方向に同じ）の両端部から径方向に延びる２つの第２径方向渡り部５７，５８とから構成されている。
【００５６】
図７、図１０（ａ）及び図１０（ｂ）に示すように、第２周方向渡り部５６は軸方向の幅が一定の帯状をなしている。そして、本実施形態の第２周方向渡り部５６の軸方向の幅は、前記第１周方向渡り部５１の軸方向の幅と等しい。また、本実施形態の第２周方向渡り部５６の厚さ（ステータコア１２の径方向における厚さ）は、第１周方向渡り部５１の厚さと等しく、ステータコア１２の環状部１３の径方向の幅の半分以下の厚さとなっている。更に、第２周方向渡り部５６は、環状部１３の周方向に沿うように長手方向の複数箇所が屈曲されており、ステータコア１２の軸方向から見て環状部１３の径方向の幅の範囲内に収まるように形成されている。また、第２周方向渡り部５６は、周方向に連続して並ぶ５個のスロット１５を周方向に跨ぐ長さに形成されるとともに、その周方向の長さは、第１周方向渡り部５１の周方向の長さよりも若干短く形成されている。
【００５７】
第２連結導体３２において、２つの前記第２径方向渡り部５７，５８は、第２周方向渡り部５６の周方向の両端部からステータコア１２の径方向に沿って径方向内側に延びている。第２径方向渡り部５７，５８は軸方向の幅が一定の帯状をなしている。本実施形態では、第２径方向渡り部５７，５８の軸方向の幅は、第２周方向渡り部５６の軸方向の幅と等しい。また、各第２径方向渡り部５７，５８の厚さは、ティース１４の周方向の幅の半分以下の幅となっており、本実施形態では、第２周方向渡り部５６の厚さと等しい。即ち、本実施形態の第２連結導体３２は、その長手方向の全体に亘って軸方向の幅及び厚さが一定であり、長手方向に沿って断面積が一定となっている。
【００５８】
第２連結導体３２における２つの第２径方向渡り部５７，５８のうち、ステータコア１２の軸方向の一方側（第１端部接続部２２側）から見て反時計方向側に位置する一方の第２径方向渡り部５７の先端部には、前記第１径方向渡り部５２の先端部に形成された第１接続部５４と同様の第１接続部５４が形成されている。第１接続部５４は、第２径方向渡り部５７の先端部を他方の第２径方向渡り部５８と反対側に略直角に屈曲して形成されている。そして、第２径方向渡り部５７の径方向の長さは、第２周方向渡り部５６が環状部１３上に位置するように第２連結導体３２がステータコア１２の軸方向の一端側に配置された状態において、スロット１５に挿入された４本の挿入導体２１のうち径方向内側から１番目の挿入導体２１の第１当接面２３に第１接続部５４が達する長さとなっている。
【００５９】
第１接続部５４を有する第２径方向渡り部５７は、第２周方向渡り部５６に対してその基端から先端までステータコア１２の軸方向の位置が変化していない。そして、第２径方向渡り部５７は、第２周方向渡り部５６におけるステータコア１２の軸方向の幅の範囲内に位置する。本実施形態では、第２径方向渡り部５７は、第２周方向渡り部５６におけるステータコア１２の軸方向の幅の範囲と同じ範囲に亘って形成されている。
【００６０】
第２連結導体３２における２つの第２径方向渡り部５７，５８のうち、ステータコア１２の軸方向の一方側（第１端部接続部２２側）から見て時計方向側に位置する他方の第２径方向渡り部５８の先端部には、前記第１径方向渡り部５３の先端部に形成された第２接続部５５と同様の第２接続部５５が形成されている。第２接続部５５は、第２径方向渡り部５８の先端部を一方の第２径方向渡り部５７と反対側に略直角に屈曲して形成されている。そして、第２径方向渡り部５８の径方向の長さは、第２周方向渡り部５６が環状部１３上に位置するように第２連結導体３２がステータコア１２の軸方向の一端側に配置された状態において、スロット１５に挿入された４本の挿入導体２１のうち径方向内側から３番目の挿入導体２１の第１当接面２３に第１接続部５４が達する長さとなっている。
【００６１】
第２接続部５５を有する第２径方向渡り部５８は、第２周方向渡り部５６に対してその基端から先端までステータコア１２の軸方向の位置が変化していない。そして、第２径方向渡り部５８は、第２周方向渡り部５６におけるステータコア１２の軸方向の幅の範囲内に位置する。本実施形態では、第２径方向渡り部５８は、第２周方向渡り部５６におけるステータコア１２の軸方向の幅の範囲と同じ範囲に亘って形成されている。即ち、本実施形態の第２連結導体３２においては、第２周方向渡り部５６は、ステータコア１２の軸方向には、第２径方向渡り部５７，５８におけるステータコア１２の軸方向の厚さの範囲と同じ範囲に形成されている。
【００６２】
このような第２連結導体３２は、ステータコア１２の軸方向の一端側で、６個離れた位置にある（即ち５個置きの）２つのスロット１５のうち反時計方向側の一方のスロット１５に挿入された径方向内側から１番目の挿入導体２１と、時計方向側の他方のスロット１５に挿入された径方向内側から３番目の挿入導体２１とを連結する。第２連結導体３２の第１接続部５４は、接続される挿入導体２１の第１端部接続部２２の径方向外側に配置されて同第１端部接続部２２と径方向に隣り合うとともに、第１当接面２３上に配置されている。そして、同第１接続部５４と第１端部接続部２２とが接合されている。また、第２連結導体３２の第２接続部５５は、接続される挿入導体２１の第１端部接続部２２の径方向外側に配置されて同第１端部接続部２２と径方向に隣り合うとともに、第１当接面２３上に配置されている。そして、同第２接続部５５と第１端部接続部２２とが接合されている。尚、第２径方向渡り部５７における第１接続部５４よりも基端側の部分、及び第２径方向渡り部５８における第２接続部５５よりも基端側の部分は、それぞれティース１４の軸方向の一端側に配置されている。
【００６３】
そして、ステータコア１２の軸方向の一端側で１層目に積層された、第１系統の３相巻線Ｍ１のＵ相の巻線Ｍ１ｕを構成する９個の第２連結導体３２は、周方向に並んだ９個の第１連結導体３１の径方向内側に配置されて周方向に等角度間隔（本実施形態では３６°間隔）に並設されている。即ち、各第１連結導体３１の内側に第２連結導体３２がそれぞれ配置されている。各第１連結導体３１の内側に配置された第２連結導体３２は、第１連結導体３１と径方向に離間している。また、当該９個の第２連結導体３２の第２周方向渡り部５６は、第１径方向渡り部５２の径方向内側で環状部１３上に（環状部１３と軸方向に並ぶ位置に）配置されている。更に、当該９個の第２連結導体３２は、第２径方向渡り部５７が第１径方向渡り部５２と共にティース１４上に（ティース１４と軸方向に並ぶ位置に）配置される一方、第２径方向渡り部５８が第１径方向渡り部５３と共にティース１４上に（ティース１４と軸方向に並ぶ位置に）配置されている。そして、当該９個の第２連結導体３２は、径方向の位置が等しく配置されるとともに、軸方向の位置が等しく配置されており、更に、ステータコア１２の軸方向の一端側で１層目に積層された前記９個の第１連結導体３１と軸方向の位置が等しい。また、当該９個の第２連結導体３２の第２径方向渡り部５７の第１接続部５４は、スロット番号「５５」，「１」，「７」，「１３」，「１９」，「２５」，「３１」，「３７」，「４３」のスロット１５に挿入された４本の挿入導体２１のうち径方向内側から１番目の挿入導体２１の第１端部接続部２２に接続されている。また当該９個の第２連結導体３２の第２径方向渡り部５８の第２接続部５５は、各第２連結導体３２の第１接続部５４が接続された挿入導体２１が挿入されたスロット１５から時計方向に６個進んだ位置にあるスロット１５に挿入された４本の挿入導体２１のうち径方向内側から３番目の挿入導体２１の第１端部接続部２２に接続されている。即ち、当該９個の第２連結導体３２の第２径方向渡り部５８の第２接続部５５は、スロット番号「１」，「７」，「１３」，「１９」，「２５」，「３１」，「３７」，「４３」，「４９」のスロット１５に挿入された４本の挿入導体２１のうち径方向内側から２番目の挿入導体２１の第１端部接続部２２に接続されている。
【００６４】
図７及び図１０（ａ）に示すように、前記第３連結導体３３は、前記第１連結導体３１と同様に、絶縁被膜を備えない導電性板材から形成されており、その長手方向の複数箇所が屈曲された帯状をなしている。第３連結導体３３は、ステータコア１２の周方向に沿うように延びる第３周方向渡り部６１と、該第３周方向渡り部６１の周方向（本実施形態では第３周方向渡り部６１の長手方向に同じ）の両端部から径方向に延びる２つの第３径方向渡り部６２，６３とから構成されている。
【００６５】
第３周方向渡り部６１は、前記第１周方向渡り部５１と同じ形状をなしている。そして、２つの第３径方向渡り部６２，６３は、第３周方向渡り部６１の周方向の両端部からステータコア１２の径方向に沿って径方向内側に延びている。第３径方向渡り部６２，６３は、軸方向の幅が一定の帯状をなしている。本実施形態では、第３径方向渡り部６２，６３の軸方向の幅は、第３周方向渡り部６１の軸方向の幅と等しい。また、各第３径方向渡り部６２，６３の厚さは、ティース１４の周方向の幅の半分以下の厚さとなっており、本実施形態では、第３周方向渡り部６１の厚さと等しい。即ち、本実施形態の第３連結導体３３は、その長手方向の全体に亘って軸方向の幅及び厚さが一定であり、長手方向に沿って断面積が一定となっている。
【００６６】
第３連結導体３３における２つの第３径方向渡り部６２，６３のうち、ステータコア１２の軸方向の一方側（第１端部接続部２２側）から見て反時計方向側に位置する一方の第２径方向渡り部５７は、第１連結導体３１の第１径方向渡り部５２と同じ形状をなしており、その先端部に第１接続部５４を有する。そして、第３径方向渡り部６２は、第３周方向渡り部６１に対してその基端から先端までステータコア１２の軸方向の位置が変化していない。更に、第３径方向渡り部６２は、第３周方向渡り部６１におけるステータコア１２の軸方向の幅の範囲内に位置する。本実施形態では、第３径方向渡り部６２は、第３周方向渡り部６１におけるステータコア１２の軸方向の幅の範囲と同じ範囲に亘って形成されている。
【００６７】
第３連結導体３３における２つの第３径方向渡り部６２，６３のうち、ステータコア１２の軸方向の一方側（第１端部接続部２２側）から見て時計方向側に位置する他方の第３径方向渡り部６３の先端部には、前記第１径方向渡り部５３の先端部に形成された第２接続部５５と同様の第２接続部５５が形成されている。第２接続部５５は、第３径方向渡り部６３の先端部を一方の第３径方向渡り部６２と反対側に略直角に屈曲して形成されている。そして、第３径方向渡り部６３の径方向の長さは、第３周方向渡り部６１が環状部１３上に位置するように第３連結導体３３がステータコア１２の軸方向の一端側に配置された状態において、スロット１５に挿入された４本の挿入導体２１のうち径方向内側から３番目の挿入導体２１の第１当接面２３に第１接続部５４が達する長さとなっている。
【００６８】
第２接続部５５を有する第３径方向渡り部６３は、第３周方向渡り部６１に対してその基端から先端までステータコア１２の軸方向の位置が変化していない。そして、第３径方向渡り部６３は、第３周方向渡り部６１におけるステータコア１２の軸方向の幅の範囲内に位置する。本実施形態では、第３径方向渡り部６３は、第３周方向渡り部６１におけるステータコア１２の軸方向の幅の範囲と同じ範囲に亘って形成されている。即ち、本実施形態の第３連結導体３３においては、第３周方向渡り部６１は、ステータコア１２の軸方向には、第３径方向渡り部６２，６３におけるステータコア１２の軸方向の厚さの範囲と同じ範囲に形成されている。
【００６９】
そして、ステータコア１２の軸方向の一端側で１層目に積層された、第１系統の３相巻線Ｍ１のＵ相の巻線Ｍ１ｕを構成する１個の第３連結導体３３は、９個の第１連結導体３１と共に周方向に並んでいる。第３連結導体３３は、周方向に隣り合う第１連結導体３１とは３６°間隔となっている。また、第３連結導体３３の第３周方向渡り部６１は、環状部１３上に（環状部１３と軸方向に並ぶ位置に）配置されるとともに、その径方向の位置が、周方向に隣り合う第１連結導体３１の第１周方向渡り部５１の径方向の位置と等しい。更に、第３連結導体３３は、ステータコア１２の軸方向の一端側で１層目に積層された前記９個の第１連結導体３１と軸方向の位置が等しい。
【００７０】
また、当該第３連結導体３３は、ステータコア１２の軸方向の一端側で、６個離れた位置にある（即ち５個置きの）２つのスロット１５のうち反時計方向側の一方のスロット１５に挿入された径方向内側から２番目の挿入導体２１と、時計方向側の他方のスロット１５に挿入された径方向内側から３番目の挿入導体２１とを連結する。そして、第３連結導体３３の第３径方向渡り部６２の第１接続部５４は、スロット番号「４９」のスロット１５に挿入された４本の挿入導体２１のうち径方向内側から２番目の挿入導体２１の第１端部接続部２２の径方向外側に配置されて同第１端部接続部２２と径方向に隣り合うとともに、第１当接面２３上に配置されている。そして、同第１接続部５４と第１端部接続部２２とが接合されている。更に、同第３連結導体３３の第３径方向渡り部６３は、スロット番号「５５」のスロット１５に挿入された４本の挿入導体２１のうち径方向内側から３番目の挿入導体２１の第１端部接続部２２の径方向外側に配置されて同第１端部接続部２２と径方向に隣り合うとともに、第１当接面２３上に配置されている。そして、同第２接続部５５と第１端部接続部２２とが接合されている。尚、第３径方向渡り部６２における第１接続部５４よりも基端側の部分、及び第３径方向渡り部６３における第２接続部５５よりも基端側の部分は、それぞれティース１４の軸方向の一端側に配置されている。
【００７１】
図６及び図１１に示すように、ステータコア１２の軸方向の一端側に積層された連結導体３１，３２，３３のうち２層目の連結導体３１，３２，３３は、第２系統の３相巻線Ｍ２のＵ相の巻線Ｍ２ｕを構成するものである。ステータコア１２の軸方向の一端側に積層された連結導体３１，３２，３３の層のうち、２層目は、上記した１層目と同様に、９個の第１連結導体３１、９個の第２連結導体３２及び１個の第３連結導体３３から構成されている。ステータコア１２の軸方向の一端側で２層目に積層された連結導体３１〜３３は、ステータコア１２の軸方向の一端側（即ち第１端部接続部２２側）から見て、ステータコア１２の軸方向の一端側で第１系統のＵ相の巻線Ｍ１ｕを構成する１層目の連結導体３１〜３３を時計方向に６°（即ち１スロット分）回転させた状態に配置されている。
【００７２】
ステータコア１２の軸方向の一端側で２層目に積層された９個の第１連結導体３１の第１径方向渡り部５２の第１接続部５４は、スロット番号「５６」，「２」，「８」，「１４」，「２０」，「２６」，「３２」，「３８」，「４４」のスロット１５内の径方向内側から２番目の挿入導体２１の第１端部接続部２２に接続されている。更に、当該９個の第１連結導体３１の第１径方向渡り部５３の第２接続部５５は、各第１連結導体３１の第１接続部５４が接続された挿入導体２１が挿入されたスロット１５から時計方向に６個進んだ位置にあるスロット１５に挿入された４本の挿入導体２１のうち径方向内側から４番目の挿入導体２１の第１端部接続部２２に接続されている。即ち、当該９個の第１連結導体３１の第２径方向渡り部５８の第２接続部５５は、スロット番号「２」，「８」，「１４」，「２０」，「２６」，「３２」，「３８」，「４４」，「５０」のスロット１５に挿入された４本の挿入導体２１のうち径方向内側から４番目の挿入導体２１の第１端部接続部２２に接続されている。
【００７３】
また、ステータコア１２の軸方向の一端側で２層目に積層された９個の第２連結導体３２の第２径方向渡り部５７の第１接続部５４は、スロット番号「５６」，「２」，「８」，「１４」，「２０」，「２６」，「３２」，「３８」，「４４」のスロット１５内の径方向内側から１番目の挿入導体２１の第１端部接続部２２に接続されている。更に、当該９個の第２連結導体３２の第２径方向渡り部５８の第２接続部５５は、各第２連結導体３２の第１接続部５４が接続された挿入導体２１が挿入されたスロット１５から時計方向に６個進んだ位置にあるスロット１５に挿入された４本の挿入導体２１のうち径方向内側から３番目の挿入導体２１の第１端部接続部２２に接続されている。即ち、当該９個の第２連結導体３２の第２径方向渡り部５８の第２接続部５５は、スロット番号「２」，「８」，「１４」，「２０」，「２６」，「３２」，「３８」，「４４」，「５０」のスロット１５に挿入された４本の挿入導体２１のうち径方向内側から３番目の挿入導体２１の第１端部接続部２２に接続されている。
【００７４】
更に、ステータコア１２の軸方向の一端側で２層目に積層された１個の第３連結導体３３の第３径方向渡り部６２の第１接続部５４は、スロット番号「５０」のスロット１５に挿入された４本の挿入導体２１のうち径方向内側から２番目の挿入導体２１の第１端部接続部２２に接続されている。その一方、同第３連結導体３３の第３径方向渡り部６３の第２接続部５５は、スロット番号「５６」のスロット１５に挿入された４本の挿入導体２１のうち径方向内側から３番目の挿入導体２１の第１端部接続部２２に接続されている。
【００７５】
図６及び図１２に示すように、ステータコア１２の軸方向の一端側に積層された連結導体３１，３２，３３のうち３層目の連結導体３１，３２，３３は、第２系統の３相巻線Ｍ２のＷ相の巻線Ｍ２ｗを構成するものである。ステータコア１２の軸方向の一端側に積層された連結導体３１，３２，３３の層のうち、３層目は、上記した１層目と同様に、９個の第１連結導体３１、９個の第２連結導体３２及び１個の第３連結導体３３から構成されている。ステータコア１２の軸方向の一端側で２層目に積層された連結導体３１〜３３は、ステータコア１２の軸方向の一端側（即ち第１端部接続部２２側）から見て、ステータコア１２の軸方向の一端側で第１系統のＵ相の巻線Ｍ１ｕを構成する１層目の連結導体３１〜３３を反時計方向に６°（即ち１スロット分）回転させた状態に配置されている。
【００７６】
ステータコア１２の軸方向の一端側で３層目に積層された９個の第１連結導体３１の第１径方向渡り部５２の第１接続部５４は、スロット番号「５４」，「６０」，「６」，「１２」，「１８」，「２４」，「３０」，「３６」，「４２」のスロット１５内の径方向内側から２番目の挿入導体２１の第１端部接続部２２に接続されている。更に、当該９個の第１連結導体３１の第１径方向渡り部５３の第２接続部５５は、各第１連結導体３１の第１接続部５４が接続された挿入導体２１が挿入されたスロット１５から時計方向に６個進んだ位置にあるスロット１５に挿入された４本の挿入導体２１のうち径方向内側から４番目の挿入導体２１の第１端部接続部２２に接続されている。即ち、当該９個の第１連結導体３１の第２径方向渡り部５８の第２接続部５５は、スロット番号「６０」，「６」，「１２」，「１８」，「２４」，「３０」，「３６」，「４２」，「４８」のスロット１５に挿入された４本の挿入導体２１のうち径方向内側から４番目の挿入導体２１の第１端部接続部２２に接続されている。
【００７７】
また、ステータコア１２の軸方向の一端側で３層目に積層された９個の第２連結導体３２の第２径方向渡り部５７の第１接続部５４は、スロット番号「５４」，「６０」，「６」，「１２」，「１８」，「２４」，「３０」，「３６」，「４２」のスロット１５内の径方向内側から１番目の挿入導体２１の第１端部接続部２２に接続されている。更に、当該９個の第２連結導体３２の第２径方向渡り部５８の第２接続部５５は、各第２連結導体３２の第１接続部５４が接続された挿入導体２１が挿入されたスロット１５から時計方向に６個進んだ位置にあるスロット１５に挿入された４本の挿入導体２１のうち径方向内側から３番目の挿入導体２１の第１端部接続部２２に接続されている。即ち、当該９個の第２連結導体３２の第２径方向渡り部５８の第２接続部５５は、スロット番号「６０」，「６」，「１２」，「１８」，「２４」，「３０」，「３６」，「４２」，「４８」のスロット１５に挿入された４本の挿入導体２１のうち径方向内側から３番目の挿入導体２１の第１端部接続部２２に接続されている。
【００７８】
更に、ステータコア１２の軸方向の一端側で３層目に積層された１個の第３連結導体３３の第３径方向渡り部６２の第１接続部５４は、スロット番号「４８」のスロット１５に挿入された４本の挿入導体２１のうち径方向内側から２番目の挿入導体２１の第１端部接続部２２に接続されている。その一方、同第３連結導体３３の第３径方向渡り部６３の第２接続部５５は、スロット番号「５４」のスロット１５に挿入された４本の挿入導体２１のうち径方向内側から３番目の挿入導体２１の第１端部接続部２２に接続されている。
【００７９】
図６及び図１３に示すように、ステータコア１２の軸方向の一端側に積層された連結導体３１，３２，３３のうち４層目の連結導体３１，３２，３３は、第１系統の３相巻線Ｍ１のＶ相の巻線Ｍ１ｖを構成するものである。ステータコア１２の軸方向の一端側に積層された連結導体３１，３２，３３の層のうち、４層目は、上記した１層目と同様に、９個の第１連結導体３１、９個の第２連結導体３２及び１個の第３連結導体３３から構成されている。ステータコア１２の軸方向の一端側で４層目に積層された連結導体３１〜３３は、ステータコア１２の軸方向の一端側（即ち第１端部接続部２２側）から見て、ステータコア１２の軸方向の一端側で第１系統のＵ相の巻線Ｍ１ｕを構成する１層目の連結導体３１〜３３を時計方向に１２°（即ち２スロット分）回転させた状態に配置されている。
【００８０】
ステータコア１２の軸方向の一端側で４層目に積層された９個の第１連結導体３１の第１径方向渡り部５２の第１接続部５４は、スロット番号「５７」，「３」，「９」，「１５」，「２１」，「２７」，「３３」，「３９」，「４５」のスロット１５内の径方向内側から２番目の挿入導体２１の第１端部接続部２２に接続されている。更に、当該９個の第１連結導体３１の第１径方向渡り部５３の第２接続部５５は、各第１連結導体３１の第１接続部５４が接続された挿入導体２１が挿入されたスロット１５から時計方向に６個進んだ位置にあるスロット１５に挿入された４本の挿入導体２１のうち径方向内側から４番目の挿入導体２１の第１端部接続部２２に接続されている。即ち、当該９個の第１連結導体３１の第２径方向渡り部５８の第２接続部５５は、スロット番号「３」，「９」，「１５」，「２１」，「２７」，「３３」，「３９」，「４５」，「５１」のスロット１５に挿入された４本の挿入導体２１のうち径方向内側から４番目の挿入導体２１の第１端部接続部２２に接続されている。
【００８１】
また、ステータコア１２の軸方向の一端側で４層目に積層された９個の第２連結導体３２の第２径方向渡り部５７の第１接続部５４は、スロット番号「５７」，「３」，「９」，「１５」，「２１」，「２７」，「３３」，「３９」，「４５」のスロット１５内の径方向内側から１番目の挿入導体２１の第１端部接続部２２に接続されている。更に、当該９個の第２連結導体３２の第２径方向渡り部５８の第２接続部５５は、各第２連結導体３２の第１接続部５４が接続された挿入導体２１が挿入されたスロット１５から時計方向に６個進んだ位置にあるスロット１５に挿入された４本の挿入導体２１のうち径方向内側から３番目の挿入導体２１の第１端部接続部２２に接続されている。即ち、当該９個の第２連結導体３２の第２径方向渡り部５８の第２接続部５５は、スロット番号「３」，「９」，「１５」，「２１」，「２７」，「３３」，「３９」，「４５」，「５１」のスロット１５に挿入された４本の挿入導体２１のうち径方向内側から３番目の挿入導体２１の第１端部接続部２２に接続されている。
【００８２】
更に、ステータコア１２の軸方向の一端側で４層目に積層された１個の第３連結導体３３の第３径方向渡り部６２の第１接続部５４は、スロット番号「５１」のスロット１５に挿入された４本の挿入導体２１のうち径方向内側から２番目の挿入導体２１の第１端部接続部２２に接続されている。その一方、同第３連結導体３３の第３径方向渡り部６３の第２接続部５５は、スロット番号「５７」のスロット１５に挿入された４本の挿入導体２１のうち径方向内側から３番目の挿入導体２１の第１端部接続部２２に接続されている。
【００８３】
図６及び図１４に示すように、ステータコア１２の軸方向の一端側に積層された連結導体３１，３２，３３のうち５層目の連結導体３１，３２，３３は、第１系統の３相巻線Ｍ１のＷ相の巻線Ｍ１ｗを構成するものである。ステータコア１２の軸方向の一端側に積層された連結導体３１，３２，３３の層のうち、５層目は、上記した１層目と同様に、９個の第１連結導体３１、９個の第２連結導体３２及び１個の第３連結導体３３から構成されている。ステータコア１２の軸方向の一端側で５層目に積層された連結導体３１〜３３は、ステータコア１２の軸方向の一端側（即ち第１端部接続部２２側）から見てステータコア１２の軸方向の一端側で第１系統のＵ相の巻線Ｍ１ｕを構成する１層目の連結導体３１〜３３を反時計方向に１２°（即ち２スロット分）回転させた状態に配置されている。
【００８４】
ステータコア１２の軸方向の一端側で５層目に積層された９個の第１連結導体３１の第１径方向渡り部５２の第１接続部５４は、スロット番号「５３」，「５９」，「５」，「１１」，「１７」，「２３」，「２９」，「３５」，「４１」のスロット１５内の径方向内側から２番目の挿入導体２１の第１端部接続部２２に接続されている。更に、当該９個の第１連結導体３１の第１径方向渡り部５３の第２接続部５５は、各第１連結導体３１の第１接続部５４が接続された挿入導体２１が挿入されたスロット１５から時計方向に６個進んだ位置にあるスロット１５に挿入された４本の挿入導体２１のうち径方向内側から４番目の挿入導体２１の第１端部接続部２２に接続されている。即ち、当該９個の第１連結導体３１の第２径方向渡り部５８の第２接続部５５は、スロット番号「５９」，「５」，「１１」，「１７」，「２３」，「２９」，「３５」，「４１」，「４７」のスロット１５に挿入された４本の挿入導体２１のうち径方向内側から４番目の挿入導体２１の第１端部接続部２２に接続されている。
【００８５】
また、ステータコア１２の軸方向の一端側で５層目に積層された９個の第２連結導体３２の第２径方向渡り部５７の第１接続部５４は、スロット番号「５３」，「５９」，「５」，「１１」，「１７」，「２３」，「２９」，「３５」，「４１」のスロット１５内の径方向内側から１番目の挿入導体２１の第１端部接続部２２に接続されている。更に、当該９個の第２連結導体３２の第２径方向渡り部５８の第２接続部５５は、各第２連結導体３２の第１接続部５４が接続された挿入導体２１が挿入されたスロット１５から時計方向に６個進んだ位置にあるスロット１５に挿入された４本の挿入導体２１のうち径方向内側から３番目の挿入導体２１の第１端部接続部２２に接続されている。即ち、当該９個の第２連結導体３２の第２径方向渡り部５８の第２接続部５５は、スロット番号「５９」，「５」，「１１」，「１７」，「２３」，「２９」，「３５」，「４１」，「４７」のスロット１５に挿入された４本の挿入導体２１のうち径方向内側から３番目の挿入導体２１の第１端部接続部２２に接続されている。
【００８６】
更に、ステータコア１２の軸方向の一端側で５層目に積層された１個の第３連結導体３３の第３径方向渡り部６２の第１接続部５４は、スロット番号「４７」のスロット１５に挿入された４本の挿入導体２１のうち径方向内側から２番目の挿入導体２１の第１端部接続部２２に接続されている。その一方、同第３連結導体３３の第３径方向渡り部６３の第２接続部５５は、スロット番号「５３」のスロット１５に挿入された４本の挿入導体２１のうち径方向内側から３番目の挿入導体２１の第１端部接続部２２に接続されている。
【００８７】
図６及び図１５に示すように、ステータコア１２の軸方向の一端側に積層された連結導体３１，３２，３３のうち６層目の連結導体３１，３２，３３は、第２系統の３相巻線Ｍ２のＶ相の巻線Ｍ２ｖを構成するものである。ステータコア１２の軸方向の一端側に積層された連結導体３１，３２，３３の層のうち、６層目は、上記した１層目と同様に、９個の第１連結導体３１、９個の第２連結導体３２及び１個の第３連結導体３３から構成されている。ステータコア１２の軸方向の一端側で６層目に積層された連結導体３１〜３３は、ステータコア１２の軸方向の一端側（即ち第１端部接続部２２側）から見て、ステータコア１２の軸方向の一端側で第１系統のＵ相の巻線Ｍ１ｕを構成する１層目の連結導体３１〜３３を時計方向に１８°（即ち３スロット分）回転させた状態に配置されている。
【００８８】
ステータコア１２の軸方向の一端側で６層目に積層された９個の第１連結導体３１の第１径方向渡り部５２の第１接続部５４は、スロット番号「５８」，「４」，「１０」，「１６」，「２２」，「２８」，「３４」，「４０」，「４６」のスロット１５内の径方向内側から２番目の挿入導体２１の第１端部接続部２２に接続されている。更に、当該９個の第１連結導体３１の第１径方向渡り部５３の第２接続部５５は、各第１連結導体３１の第１接続部５４が接続された挿入導体２１が挿入されたスロット１５から時計方向に６個進んだ位置にあるスロット１５に挿入された４本の挿入導体２１のうち径方向内側から４番目の挿入導体２１の第１端部接続部２２に接続されている。即ち、当該９個の第１連結導体３１の第２径方向渡り部５８の第２接続部５５は、スロット番号「４」，「１０」，「１６」，「２２」，「２８」，「３４」，「４０」，「４６」，「５２」のスロット１５に挿入された４本の挿入導体２１のうち径方向内側から４番目の挿入導体２１の第１端部接続部２２に接続されている。
【００８９】
また、ステータコア１２の軸方向の一端側で６層目に積層された９個の第２連結導体３２の第２径方向渡り部５７の第１接続部５４は、スロット番号「５８」，「４」，「１０」，「１６」，「２２」，「２８」，「３４」，「４０」，「４６」のスロット１５内の径方向内側から１番目の挿入導体２１の第１端部接続部２２に接続されている。更に、当該９個の第２連結導体３２の第２径方向渡り部５８の第２接続部５５は、各第２連結導体３２の第１接続部５４が接続された挿入導体２１が挿入されたスロット１５から時計方向に６個進んだ位置にあるスロット１５に挿入された４本の挿入導体２１のうち径方向内側から３番目の挿入導体２１の第１端部接続部２２に接続されている。即ち、当該９個の第２連結導体３２の第２径方向渡り部５８の第２接続部５５は、スロット番号「４」，「１０」，「１６」，「２２」，「２８」，「３４」，「４０」，「４６」，「５２」のスロット１５に挿入された４本の挿入導体２１のうち径方向内側から３番目の挿入導体２１の第１端部接続部２２に接続されている。
【００９０】
更に、ステータコア１２の軸方向の一端側で６層目に積層された１個の第３連結導体３３の第３径方向渡り部６２の第１接続部５４は、スロット番号「５２」のスロット１５に挿入された４本の挿入導体２１のうち径方向内側から２番目の挿入導体２１の第１端部接続部２２に接続されている。その一方、同第３連結導体３３の第３径方向渡り部６３の第２接続部５５は、スロット番号「５８」のスロット１５に挿入された４本の挿入導体２１のうち径方向内側から３番目の挿入導体２１の第１端部接続部２２に接続されている。
【００９１】
そして、図６に示すように、ステータコア１２の軸方向の一端側に層状に積層された連結導体３１〜３３においては、環状部１３上で、各層の第１周方向渡り部５１及び第３周方向渡り部６１が軸方向に積層されるとともに、第１周方向渡り部５１及び第３周方向渡り部６１の径方向内側で各層の第２周方向渡り部５６が軸方向に積層されている。また、ステータコア１２の軸方向の一端側で層状に積層された連結導体３１〜３３において、同相の巻線を構成する複数の連結導体３１〜３３は、互いに軸方向に重ならない。例えば、ステータコア１２の軸方向の一端側で１層目に積層されて第１系統の３相巻線Ｍ１のＵ相の巻線Ｍ１ｕを構成する複数の連結導体３１〜３３は、互いに軸方向に重なることなく配置されている。
【００９２】
図１６に示すように、ステータコア１２の軸方向の一端面と、ステータコア１２の軸方向の一端側で１層目に積層された第１連結導体３１、第２連結導体３２及び第３連結導体３３との間には、ステータコア１２と当該１層目の第１連結導体３１、第２連結導体３２及び第３連結導体３３とを電気的に絶縁するインシュレータ７１が介在されている。また、ステータコア１２の軸方向に隣り合う連結導体３１〜３３の層の間には、ステータコア１２の軸方向に隣り合う連結導体３１〜３３同士を電気的に絶縁するインシュレータ７１が介在されている。各インシュレータ７１は、環状をなす絶縁紙である。そして、挿入導体２１は、このインシュレータ７１を軸方向に貫通している。
【００９３】
図５及び図６に示すように、スロット番号「４９」のスロット１５に挿入された４本の挿入導体２１のうち径方向内側から１番目の挿入導体２１の第１端部接続部２２には、第１系統のＵ相の巻線Ｍ１ｕに給電するための第１Ｕ相電源端子Ｔ１ｕが接続されている。また、スロット番号「５０」のスロット１５に挿入された４本の挿入導体２１のうち径方向内側から１番目の挿入導体２１の第１端部接続部２２には、第２系統のＵ相の巻線Ｍ２ｕに給電するための第２Ｕ相電源端子Ｔ２ｕが接続されている。また、スロット番号「５１」のスロット１５に挿入された４本の挿入導体２１のうち径方向内側から１番目の挿入導体２１の第１端部接続部２２には、第１系統のＶ相の巻線Ｍ１ｖに給電するための第１Ｖ相電源端子Ｔ１ｖが接続されている。また、スロット番号「５２」のスロット１５に挿入された４本の挿入導体２１のうち径方向内側から１番目の挿入導体２１の第１端部接続部２２には、第２系統のＶ相の巻線Ｍ２ｖに給電するための第２Ｖ相電源端子Ｔ２ｖが接続されている。また、スロット番号「４７」のスロット１５に挿入された４本の挿入導体２１のうち径方向内側から１番目の挿入導体２１の第１端部接続部２２には、第１系統のＷ相の巻線Ｍ１ｗに給電するための第１Ｗ相電源端子Ｔ１ｗが接続されている。また、スロット番号「４８」のスロット１５に挿入された４本の挿入導体２１のうち径方向内側から１番目の挿入導体２１の第１端部接続部２２には、第２系統のＷ相の巻線Ｍ２ｗに給電するための第２Ｗ相電源端子Ｔ２ｗが接続されている。
【００９４】
図５、図６、図１７（ａ）及び図１７（ｂ）に示すように、スロット番号「５５」のスロット１５に挿入された４本の挿入導体２１のうち径方向内側から４番目の挿入導体２１の第１端部接続部２２には、第１系統の３相巻線Ｍ１の第１中性点Ｎ１を形成するための第１Ｕ相中性点端子Ｎ１ｕが接続されている。また、スロット番号「５６」のスロット１５に挿入された４本の挿入導体２１のうち径方向内側から４番目の挿入導体２１の第１端部接続部２２には、第２系統の３相巻線Ｍ２の第２中性点Ｎ２を形成するための第２Ｕ相中性点端子Ｎ２ｕが接続されている。また、スロット番号「５７」のスロット１５に挿入された４本の挿入導体２１のうち径方向内側から４番目の挿入導体２１の第１端部接続部２２には、第１中性点Ｎ１を形成するための第１Ｖ相中性点端子Ｎ１ｖが接続されている。また、スロット番号「５８」のスロット１５に挿入された４本の挿入導体２１のうち径方向内側から４番目の挿入導体２１の第１端部接続部２２には、第２中性点Ｎ２を形成するための第２Ｖ相中性点端子Ｎ２ｖが接続されている。また、スロット番号「５３」のスロット１５に挿入された４本の挿入導体２１のうち径方向内側から４番目の挿入導体２１の第１端部接続部２２には、第１中性点Ｎ１を形成するための第１Ｗ相中性点端子Ｎ１ｗが接続されている。また、スロット番号「５４」のスロット１５に挿入された４本の挿入導体２１のうち径方向内側から４番目の挿入導体２１の第１端部接続部２２には、第２中性点Ｎ２を形成するための第２Ｗ相中性点端子Ｎ２ｗが接続されている。
【００９５】
図６に示すように、ステータコア１２の軸方向の他端側（図６において右側であって前記第２端部接続部２４が突出した側）には、連結導体３４，３５（即ち第４連結導体３４及び第５連結導体３５）が軸方向に層状に積層されている。本実施形態では、連結導体３４、３５は、ステータコア１２の軸方向の他端側で巻線Ｍの相の数と同数の６層積層されている。
【００９６】
図６、図７及び図１８（ａ）に示すように、ステータコア１２の軸方向の他端側に積層された連結導体３４、３５のうち、ステータコア１２の軸方向の他端面に最も近い１層目の連結導体３４、３５は、第２系統の３相巻線Ｍ２のＶ相の巻線Ｍ２ｖを構成するものである。ステータコア１２の軸方向の他端側に積層された連結導体３４，３５の層のうち、１層目は、１０個の第４連結導体３４及び１０個の第５連結導体３５から構成されている。
【００９７】
図１８（ｂ）に示すように、第４連結導体３４は、前記第１連結導体３１と同様に、絶縁被膜を備えない導電性板材から形成されており、その長手方向の複数箇所が屈曲された帯状をなしている。第４連結導体３４は、ステータコア１２の周方向に沿うように延びる第４周方向渡り部８１と、該第４周方向渡り部８１の周方向（本実施形態では第４周方向渡り部８１の長手方向に同じ）の両端部から径方向に延びる２つの第４径方向渡り部８２，８３とから構成されている。
【００９８】
第４周方向渡り部８１は、前記第１周方向渡り部５１と同じ形状をなしている。そして、２つの第４径方向渡り部８２，８３は、第４周方向渡り部８１の周方向の両端部からステータコア１２の径方向に沿って径方向内側に延びている。更に、第４径方向渡り部８２，８３は、軸方向の幅が一定の帯状をなしている。本実施形態では、第４径方向渡り部８２，８３の軸方向の幅は、第４周方向渡り部８１の軸方向の幅と等しい。また、各第４径方向渡り部８２，８３の厚さは、ティース１４の周方向の幅の半分以下の幅となっており、本実施形態では、第４周方向渡り部８１の厚さと等しい。即ち、本実施形態の第４連結導体３４は、その長手方向の全体に亘って軸方向の幅及び厚さが一定であり、長手方向に沿って断面積が一定となっている。
【００９９】
第４連結導体３４における２つの第４径方向渡り部８２，８３のうち、ステータコア１２の軸方向の他方側（第２端部接続部２４側）から見て時計方向側に位置する一方の第４径方向渡り部８２の先端部には、前記第１径方向渡り部５２の先端部に形成された第１接続部５４と同様の第１接続部５４が形成されている。第１接続部５４は、第４径方向渡り部８２の先端部を他方の第４径方向渡り部８３と反対側に略直角に屈曲して形成されている。そして、第４径方向渡り部８２の径方向の長さは、第４周方向渡り部８１が環状部１３上に位置するように第４連結導体３４がステータコア１２の軸方向の他端側に配置された状態において、スロット１５に挿入された４本の挿入導体２１のうち径方向内側から３番目の挿入導体２１の第２当接面２５に第１接続部５４が達する長さとなっている。
【０１００】
第１接続部５４を有する第４径方向渡り部８２は、第４周方向渡り部８１に対してその基端から先端までステータコア１２の軸方向の位置が変化していない。そして、第４径方向渡り部８２は、第４周方向渡り部８１におけるステータコア１２の軸方向の幅の範囲内に位置する。本実施形態では、第４径方向渡り部８２は、第４周方向渡り部８１におけるステータコア１２の軸方向の幅の範囲と同じ範囲に亘って形成されている。
【０１０１】
第４連結導体３４における２つの第４径方向渡り部８２，８３のうち、ステータコア１２の軸方向の他端側（第２端部接続部２４側）から見て反時計方向側に位置する他方の第４径方向渡り部８３は、前記第１連結導体３１の第１径方向渡り部５３と同じ形状をなしており、その先端部に第２接続部５５を有する。そして、第４径方向渡り部８３は、第４周方向渡り部８１に対してその基端から先端までステータコア１２の軸方向の位置が変化していない。更に、第４径方向渡り部８３は、第４周方向渡り部８１におけるステータコア１２の軸方向の幅の範囲内に位置する。本実施形態では、第４径方向渡り部８３は、第４周方向渡り部８１におけるステータコア１２の軸方向の幅の範囲と同じ範囲に亘って形成されている。即ち、本実施形態の第４連結導体３４においては、第４周方向渡り部８１は、ステータコア１２の軸方向には、第４径方向渡り部８２，８３におけるステータコア１２の軸方向の厚さの範囲と同じ範囲に形成されている。
【０１０２】
このような第４連結導体３４は、ステータコア１２の軸方向の他端側で、６個離れた位置にある（即ち５個置きの）２つのスロット１５のうち時計方向側の一方のスロット１５に挿入された径方向内側から３番目の挿入導体２１と、反時計方向側の他方のスロット１５に挿入された径方向内側から４番目の挿入導体２１とを連結する。第４連結導体３４の第１接続部５４は、接続される挿入導体２１の第２端部接続部２４の径方向外側に配置されて同第２端部接続部２４と径方向に隣り合うとともに、第２当接面２５上に配置されている。そして、同第１接続部５４と第２端部接続部２４とが接合されている。また、第４連結導体３４の第２接続部５５は、接続される挿入導体２１の第２端部接続部２４の径方向外側に配置されて同第２端部接続部２４と径方向に隣り合うとともに、第２当接面２５上に配置されている。そして、同第２接続部５５と第２端部接続部２４とが接合されている。尚、第４径方向渡り部８２における第１接続部５４よりも基端側の部分、及び第４径方向渡り部８３における第２接続部５５よりも基端側の部分は、それぞれティース１４の軸方向の他端側に配置されている。
【０１０３】
図１８（ａ）に示すように、ステータコア１２の軸方向の他端側で１層目に積層された、第２系統の３相巻線Ｍ２のＶ相の巻線Ｍ２ｖを構成する１０個の第４連結導体３４は、周方向に等角度間隔（本実施形態では３６°間隔）に並設されている。また、当該１０個の第４連結導体３４は、第４周方向渡り部８１が環状部１３上に（環状部１３と軸方向に並ぶ位置に）配置されるとともに、第４径方向渡り部８２，８３がそれぞれティース１４上に（ティース１４と軸方向に並ぶ位置に）配置されている。そして、当該１０個の第４連結導体３４は、径方向の位置が等しく配置されるとともに、軸方向の位置が等しく配置されている。また、当該１０個の第４連結導体３４の第４径方向渡り部８２の第１接続部５４は、スロット番号「５８」，「４」，「１０」，「１６」，「２２」，「２８」，「３４」，「４０」，「４６」，「５２」のスロット１５に挿入された４本の挿入導体２１のうち径方向内側から３番目の挿入導体２１の第２端部接続部２４に接続されている。また、当該１０個の第４連結導体３４の第４径方向渡り部８３の第２接続部５５は、各第４連結導体３４の第１接続部５４が接続された挿入導体２１が挿入されたスロット１５から反時計方向に６個進んだ位置にあるスロット１５に挿入された４本の挿入導体２１のうち径方向内側から４番目の挿入導体２１の第２端部接続部２４に接続されている。即ち、当該１０個の第４連結導体３４の第４径方向渡り部８３の第２接続部５５は、スロット番号「４」，「１０」，「１６」，「２２」，「２８」，「３４」，「４０」，「４６」，「５２」，「５８」のスロット１５に挿入された４本の挿入導体２１のうち径方向内側から４番目の挿入導体２１の第２端部接続部２４に接続されている。
【０１０４】
図１８（ａ）及び図１８（ｂ）に示すように、前記第５連結導体３５は、前記第１連結導体３１と同様に、絶縁被膜を備えない導電性板材から形成されており、その長手方向の複数箇所が屈曲された帯状をなしている。第５連結導体３５は、ステータコア１２の周方向に沿うように延びる第５周方向渡り部８６と、該第５周方向渡り部８６の周方向（本実施形態では第５周方向渡り部８６の長手方向に同じ）の両端部から径方向に延びる２つの第５径方向渡り部８７，８８とから構成されている。
【０１０５】
第５周方向渡り部８６は、前記第２周方向渡り部５６と同じ形状をなしている。そして、２つの第５径方向渡り部８７，８８は、第５周方向渡り部８６の周方向の両端部からステータコア１２の径方向に沿って径方向内側に延びている。更に、第５径方向渡り部８７，８８は、軸方向の幅が一定の帯状をなしている。本実施形態では、第５径方向渡り部８７，８８の軸方向の幅は、第５周方向渡り部８６の軸方向の幅と等しい。また、各第５径方向渡り部８７，８８の厚さは、ティース１４の周方向の幅の半分以下の幅となっており、本実施形態では、第５周方向渡り部８６の厚さと等しい。即ち、本実施形態の第５連結導体３５は、その長手方向の全体に亘って軸方向の幅及び厚さが一定であり、長手方向に沿って断面積が一定となっている。
【０１０６】
第５連結導体３５における２つの第５径方向渡り部８７，８８のうち、ステータコア１２の軸方向の他方側（第２端部接続部２４側）から見て時計方向側に位置する一方の第５径方向渡り部８７の先端部には、前記第１径方向渡り部５２の先端部に形成された第１接続部５４と同様の第１接続部５４が形成されている。第１接続部５４は、第５径方向渡り部８７の先端部を他方の第５径方向渡り部８８と反対側に略直角に屈曲して形成されている。そして、第５径方向渡り部８７の径方向の長さは、第５周方向渡り部８６が環状部１３上に位置するように第５連結導体３５がステータコア１２の軸方向の他端側に配置された状態において、スロット１５に挿入された４本の挿入導体２１のうち径方向内側から２番目の挿入導体２１の第２当接面２５に第１接続部５４が達する長さとなっている。
【０１０７】
第１接続部５４を有する第５径方向渡り部８７は、第５周方向渡り部８６に対してその基端から先端までステータコア１２の軸方向の位置が変化していない。そして、第５径方向渡り部８７は、第５周方向渡り部８６におけるステータコア１２の軸方向の幅の範囲内に位置する。本実施形態では、第５径方向渡り部８７は、第５周方向渡り部８６におけるステータコア１２の軸方向の幅の範囲と同じ範囲に亘って形成されている。
【０１０８】
第５連結導体３５における２つの第５径方向渡り部８７，８８のうち、ステータコア１２の軸方向の他方側（第２端部接続部２４側）から見て反時計方向側に位置する一方の第５径方向渡り部８８の先端部には、前記第１径方向渡り部５３の先端部に形成された第２接続部５５と同様の第２接続部５５が形成されている。第２接続部５５は、第５径方向渡り部８８の先端部を一方の第５径方向渡り部８７と反対側に略直角に屈曲して形成されている。そして、第５径方向渡り部８８の径方向の長さは、第５周方向渡り部８６が環状部１３上に位置するように第５連結導体３５がステータコア１２の軸方向の他端側に配置された状態において、スロット１５に挿入された４本の挿入導体２１のうち径方向内側から１番目の挿入導体２１の第２当接面２５に第２接続部５５が達する長さとなっている。
【０１０９】
第２接続部５５を有する第５径方向渡り部８８は、第５周方向渡り部８６に対してその基端から先端までステータコア１２の軸方向の位置が変化していない。そして、第５径方向渡り部８８は、第５周方向渡り部８６におけるステータコア１２の軸方向の幅の範囲内に位置する。本実施形態では、第５径方向渡り部８８は、第５周方向渡り部８６におけるステータコア１２の軸方向の幅の範囲と同じ範囲に亘って形成されている。即ち、本実施形態の第５連結導体３５においては、第５周方向渡り部８６は、ステータコア１２の軸方向には、第５径方向渡り部８７，８８におけるステータコア１２の軸方向の厚さの範囲と同じ範囲に形成されている。
【０１１０】
このような第５連結導体３５は、ステータコア１２の軸方向の他端側で、６個離れた位置にある（即ち５個置きの）２つのスロット１５のうち時計方向側の一方のスロット１５に挿入された径方向内側から２番目の挿入導体２１と、反時計方向側の他方のスロット１５に挿入された径方向内側から１番目の挿入導体２１とを連結する。第５連結導体３５の第１接続部５４は、接続される挿入導体２１の第２端部接続部２４の径方向外側に配置されて同第２端部接続部２４と径方向に隣り合うとともに、第２当接面２５上に配置されている。そして、同第１接続部５４と第２端部接続部２４とが接合されている。また、第５連結導体３５の第２接続部５５は、接続される挿入導体２１の第２端部接続部２４の径方向外側に配置されて同第２端部接続部２４と径方向に隣り合うとともに、第２当接面２５上に配置されている。そして、同第２接続部５５と第２端部接続部２４とが接合されている。尚、第５径方向渡り部８７における第１接続部５４よりも基端側の部分、及び第５径方向渡り部８８における第２接続部５５よりも基端側の部分は、それぞれティース１４の軸方向の他端側に配置されている。
【０１１１】
そして、ステータコア１２の軸方向の他端側で１層目に積層された、第２系統の３相巻線Ｍ２のＶ相の巻線Ｍ２ｖを構成する１０個の第５連結導体３５は、周方向に並んだ１０個の第４連結導体３４の径方向内側に配置されて周方向に等角度間隔（本実施形態では３６°間隔）に並設されている。即ち、各第４連結導体３４の内側に第５連結導体３５がそれぞれ配置されている。各第４連結導体３４の内側に配置された第５連結導体３５は、第４連結導体３４と径方向に離間している。また、当該１０個の第５連結導体３５の第５周方向渡り部８６は、第４径方向渡り部８２の径方向内側で環状部１３上に（環状部１３と軸方向に並ぶ位置に）配置されている。更に、当該１０個の第５連結導体３５は、第５径方向渡り部８７が第４径方向渡り部８２と共にティース１４上に（ティース１４と軸方向に並ぶ位置に）配置される一方、第５径方向渡り部８８が第４径方向渡り部８３と共にティース１４上に（ティース１４と軸方向に並ぶ位置に）配置されている。そして、当該１０個の第５連結導体３５は、径方向の位置が等しく配置されるとともに、軸方向の位置が等しく配置されており、更に、ステータコア１２の軸方向の他端側で１層目に積層された前記１０個の第４連結導体３４と軸方向の位置が等しい。また、当該１０個の第５連結導体３５の第５径方向渡り部８７の第１接続部５４は、スロット番号「５８」，「４」，「１０」，「１６」，「２２」，「２８」，「３４」，「４０」，「４６」，「５２」のスロット１５に挿入された４本の挿入導体２１のうち径方向内側から２番目の挿入導体２１の第２端部接続部２４に接続されている。また当該１０個の第５連結導体３５の第５径方向渡り部８８の第２接続部５５は、各第５連結導体３５の第１接続部５４が接続された挿入導体２１が挿入されたスロット１５から反時計方向に６個進んだ位置にあるスロット１５に挿入された４本の挿入導体２１のうち径方向内側から１番目の挿入導体２１の第２端部接続部２４に接続されている。即ち、当該１０個の第５連結導体３５の第４径方向渡り部８３の第２接続部５５は、スロット番号「４」，「１０」，「１６」，「２２」，「２８」，「３４」，「４０」，「４６」，「５２」，「５８」のスロット１５に挿入された４本の挿入導体２１のうち径方向内側から１番目の挿入導体２１の第２端部接続部２４に接続されている。
【０１１２】
図６及び図１９に示すように、ステータコア１２の軸方向の他端側に積層された連結導体３４，３５のうち２層目の連結導体３４，３５は、第１系統の３相巻線Ｍ１のＷ相の巻線Ｍ１ｗを構成するものである。ステータコア１２の軸方向の他端側に積層された連結導体３４，３５の層のうち、２層目は、上記した１層目と同様に、１０個の第４連結導体３４及び１０個の第５連結導体３５から構成されている。ステータコア１２の軸方向の他端側で２層目に積層された連結導体３４，３５は、ステータコア１２の軸方向の他端側（即ち第２端部接続部２４側）から見て、ステータコア１２の軸方向の他端側で第２系統のＶ相の巻線Ｍ２ｖを構成する１層目の連結導体３４，３５を反時計方向に６°（即ち１スロット分）回転させた状態に配置されている。
【０１１３】
ステータコア１２の軸方向の他端側で２層目に積層された１０個の第４連結導体３４の第４径方向渡り部８２の第１接続部５４は、スロット番号「５９」，「５」，「１１」，「１７」，「２３」，「２９」，「３５」，「４１」，「４７」，「５３」のスロット１５内の径方向内側から３番目の挿入導体２１の第２端部接続部２４に接続されている。更に、当該１０個の第４連結導体３４の第４径方向渡り部８３の第２接続部５５は、各第４連結導体３４の第１接続部５４が接続された挿入導体２１が挿入されたスロット１５から反時計方向に６個進んだ位置にあるスロット１５に挿入された４本の挿入導体２１のうち径方向内側から４番目の挿入導体２１の第２端部接続部２４に接続されている。即ち、当該１０個の第４連結導体３４の第４径方向渡り部８３の第２接続部５５は、スロット番号「５」，「１１」，「１７」，「２３」，「２９」，「３５」，「４１」，「４７」，「５３」，「５９」のスロット１５に挿入された４本の挿入導体２１のうち径方向内側から４番目の挿入導体２１の第２端部接続部２４に接続されている。
【０１１４】
また、ステータコア１２の軸方向の他端側で２層目に積層された１０個の第５連結導体３５の第５径方向渡り部８７の第１接続部５４は、スロット番号「５９」，「５」，「１１」，「１７」，「２３」，「２９」，「３５」，「４１」，「４７」，「５３」のスロット１５内の径方向内側から２番目の挿入導体２１の第２端部接続部２４に接続されている。更に、当該１０個の第５連結導体３５の第５径方向渡り部８８の第２接続部５５は、各第５連結導体３５の第１接続部５４が接続された挿入導体２１が挿入されたスロット１５から反時計方向に６個進んだ位置にあるスロット１５に挿入された４本の挿入導体２１のうち径方向内側から１番目の挿入導体２１の第２端部接続部２４に接続されている。即ち、当該１０個の第５連結導体３５の第５径方向渡り部８８の第２接続部５５は、スロット番号「５」，「１１」，「１７」，「２３」，「２９」，「３５」，「４１」，「４７」，「５３」，「５９」のスロット１５に挿入された４本の挿入導体２１のうち径方向内側から１番目の挿入導体２１の第２端部接続部２４に接続されている。
【０１１５】
図６及び図２０に示すように、ステータコア１２の軸方向の他端側に積層された連結導体３４，３５のうち３層目の連結導体３４，３５は、第１系統の３相巻線Ｍ１のＶ相の巻線Ｍ１ｖを構成するものである。ステータコア１２の軸方向の他端側に積層された連結導体３４，３５の層のうち、３層目は、上記した１層目と同様に、１０個の第４連結導体３４及び１０個の第５連結導体３５から構成されている。ステータコア１２の軸方向の他端側で３層目に積層された連結導体３４，３５は、ステータコア１２の軸方向の他端側（即ち第２端部接続部２４側）から見て、ステータコア１２の軸方向の他端側で第２系統のＶ相の巻線Ｍ２ｖを構成する１層目の連結導体３４，３５を反時計方向に３０°（即ち５スロット分）回転させた状態に配置されている。
【０１１６】
ステータコア１２の軸方向の他端側で３層目に積層された１０個の第４連結導体３４の第４径方向渡り部８２の第１接続部５４は、スロット番号「３」，「９」，「１５」，「２１」，「２７」，「３３」，「３９」，「４５」，「５１」，「５７」のスロット１５内の径方向内側から３番目の挿入導体２１の第２端部接続部２４に接続されている。更に、当該１０個の第４連結導体３４の第４径方向渡り部８３の第２接続部５５は、各第４連結導体３４の第１接続部５４が接続された挿入導体２１が挿入されたスロット１５から反時計方向に６個進んだ位置にあるスロット１５に挿入された４本の挿入導体２１のうち径方向内側から４番目の挿入導体２１の第２端部接続部２４に接続されている。即ち、当該１０個の第４連結導体３４の第４径方向渡り部８３の第２接続部５５は、スロット番号「９」，「１５」，「２１」，「２７」，「３３」，「３９」，「４５」，「５１」，「５７」，「３」のスロット１５に挿入された４本の挿入導体２１のうち径方向内側から４番目の挿入導体２１の第２端部接続部２４に接続されている。
【０１１７】
また、ステータコア１２の軸方向の他端側で３層目に積層された１０個の第５連結導体３５の第５径方向渡り部８７の第１接続部５４は、スロット番号「３」，「９」，「１５」，「２１」，「２７」，「３３」，「３９」，「４５」，「５１」，「５７」のスロット１５内の径方向内側から２番目の挿入導体２１の第２端部接続部２４に接続されている。更に、当該１０個の第５連結導体３５の第５径方向渡り部８８の第２接続部５５は、各第５連結導体３５の第１接続部５４が接続された挿入導体２１が挿入されたスロット１５から反時計方向に６個進んだ位置にあるスロット１５に挿入された４本の挿入導体２１のうち径方向内側から１番目の挿入導体２１の第２端部接続部２４に接続されている。即ち、当該１０個の第５連結導体３５の第５径方向渡り部８８の第２接続部５５は、スロット番号「９」，「１５」，「２１」，「２７」，「３３」，「３９」，「４５」，「５１」，「５７」，「３」のスロット１５に挿入された４本の挿入導体２１のうち径方向内側から１番目の挿入導体２１の第２端部接続部２４に接続されている。
【０１１８】
図６及び図２１に示すように、ステータコア１２の軸方向の他端側に積層された連結導体３４，３５のうち４層目の連結導体３４，３５は、第２系統の３相巻線Ｍ２のＷ相の巻線Ｍ２ｗを構成するものである。ステータコア１２の軸方向の他端側に積層された連結導体３４，３５の層のうち、４層目は、上記した１層目と同様に、１０個の第４連結導体３４及び１０個の第５連結導体３５から構成されている。ステータコア１２の軸方向の他端側で４層目に積層された連結導体３４，３５は、ステータコア１２の軸方向の他端側（即ち第２端部接続部２４側）から見て、ステータコア１２の軸方向の他端側で第２系統のＶ相の巻線Ｍ２ｖを構成する１層目の連結導体３４，３５を反時計方向に１２°（即ち２スロット分）回転させた状態に配置されている。
【０１１９】
ステータコア１２の軸方向の他端側で４層目に積層された１０個の第４連結導体３４の第４径方向渡り部８２の第１接続部５４は、スロット番号「６０」，「６」，「１２」，「１８」，「２４」，「３０」，「３６」，「４２」，「４８」，「５４」のスロット１５内の径方向内側から３番目の挿入導体２１の第２端部接続部２４に接続されている。更に、当該１０個の第４連結導体３４の第４径方向渡り部８３の第２接続部５５は、各第４連結導体３４の第１接続部５４が接続された挿入導体２１が挿入されたスロット１５から反時計方向に６個進んだ位置にあるスロット１５に挿入された４本の挿入導体２１のうち径方向内側から４番目の挿入導体２１の第２端部接続部２４に接続されている。即ち、当該１０個の第４連結導体３４の第４径方向渡り部８３の第２接続部５５は、スロット番号「６」，「１２」，「１８」，「２４」，「３０」，「３６」，「４２」，「４８」，「５４」，「６０」のスロット１５に挿入された４本の挿入導体２１のうち径方向内側から４番目の挿入導体２１の第２端部接続部２４に接続されている。
【０１２０】
また、ステータコア１２の軸方向の他端側で４層目に積層された１０個の第５連結導体３５の第５径方向渡り部８７の第１接続部５４は、スロット番号「６０」，「６」，「１２」，「１８」，「２４」，「３０」，「３６」，「４２」，「４８」，「５４」のスロット１５内の径方向内側から２番目の挿入導体２１の第２端部接続部２４に接続されている。更に、当該１０個の第５連結導体３５の第５径方向渡り部８８の第２接続部５５は、各第５連結導体３５の第１接続部５４が接続された挿入導体２１が挿入されたスロット１５から反時計方向に６個進んだ位置にあるスロット１５に挿入された４本の挿入導体２１のうち径方向内側から１番目の挿入導体２１の第２端部接続部２４に接続されている。即ち、当該１０個の第５連結導体３５の第５径方向渡り部８８の第２接続部５５は、スロット番号「６」，「１２」，「１８」，「２４」，「３０」，「３６」，「４２」，「４８」，「５４」，「６０」のスロット１５に挿入された４本の挿入導体２１のうち径方向内側から１番目の挿入導体２１の第２端部接続部２４に接続されている。
【０１２１】
図６、図７及び図２２に示すように、ステータコア１２の軸方向の他端側に積層された連結導体３４，３５のうち５層目の連結導体３４，３５は、第２系統の３相巻線Ｍ２のＵ相の巻線Ｍ２ｕを構成するものである。ステータコア１２の軸方向の他端側に積層された連結導体３４，３５の層のうち、５層目は、上記した１層目と同様に、１０個の第４連結導体３４及び１０個の第５連結導体３５から構成されている。ステータコア１２の軸方向の他端側で５層目に積層された連結導体３４，３５は、ステータコア１２の軸方向の他端側（即ち第２端部接続部２４側）から見て、ステータコア１２の軸方向の他端側で第２系統のＶ相の巻線Ｍ２ｖを構成する１層目の連結導体３４，３５を反時計方向に２４°（即ち４スロット分）回転させた状態に配置されている。
【０１２２】
ステータコア１２の軸方向の他端側で５層目に積層された１０個の第４連結導体３４の第４径方向渡り部８２の第１接続部５４は、スロット番号「２」，「８」，「１４」，「２０」，「２６」，「３２」，「３８」，「４４」，「５０」，「５６」のスロット１５内の径方向内側から３番目の挿入導体２１の第２端部接続部２４に接続されている。更に、当該１０個の第４連結導体３４の第４径方向渡り部８３の第２接続部５５は、各第４連結導体３４の第１接続部５４が接続された挿入導体２１が挿入されたスロット１５から反時計方向に６個進んだ位置にあるスロット１５に挿入された４本の挿入導体２１のうち径方向内側から４番目の挿入導体２１の第２端部接続部２４に接続されている。即ち、当該１０個の第４連結導体３４の第４径方向渡り部８３の第２接続部５５は、スロット番号「８」，「１４」，「２０」，「２６」，「３２」，「３８」，「４４」，「５０」，「５６」，「２」のスロット１５に挿入された４本の挿入導体２１のうち径方向内側から４番目の挿入導体２１の第２端部接続部２４に接続されている。
【０１２３】
また、ステータコア１２の軸方向の他端側で５層目に積層された１０個の第５連結導体３５の第５径方向渡り部８７の第１接続部５４は、スロット番号「２」，「８」，「１４」，「２０」，「２６」，「３２」，「３８」，「４４」，「５０」，「５６」のスロット１５内の径方向内側から２番目の挿入導体２１の第２端部接続部２４に接続されている。更に、当該１０個の第５連結導体３５の第５径方向渡り部８８の第２接続部５５は、各第５連結導体３５の第１接続部５４が接続された挿入導体２１が挿入されたスロット１５から反時計方向に６個進んだ位置にあるスロット１５に挿入された４本の挿入導体２１のうち径方向内側から１番目の挿入導体２１の第２端部接続部２４に接続されている。即ち、当該１０個の第５連結導体３５の第５径方向渡り部８８の第２接続部５５は、スロット番号「８」，「１４」，「２０」，「２６」，「３２」，「３８」，「４４」，「５０」，「５６」，「２」のスロット１５に挿入された４本の挿入導体２１のうち径方向内側から１番目の挿入導体２１の第２端部接続部２４に接続されている。
【０１２４】
図６、図７及び図２３に示すように、ステータコア１２の軸方向の他端側に積層された連結導体３４，３５のうち６層目の連結導体３４，３５は、第１系統の３相巻線Ｍ１のＵ相の巻線Ｍ１ｕを構成するものである。ステータコア１２の軸方向の他端側に積層された連結導体３４，３５の層のうち、６層目は、上記した１層目と同様に、１０個の第４連結導体３４及び１０個の第５連結導体３５から構成されている。ステータコア１２の軸方向の他端側で６層目に積層された連結導体３４，３５は、ステータコア１２の軸方向の他端側（即ち第２端部接続部２４側）から見て、ステータコア１２の軸方向の他端側で第２系統のＶ相の巻線Ｍ２ｖを構成する１層目の連結導体３４，３５を反時計方向に１２°（即ち２スロット分）回転させた状態に配置されている。
【０１２５】
ステータコア１２の軸方向の他端側で６層目に積層された１０個の第４連結導体３４の第４径方向渡り部８２の第１接続部５４は、スロット番号「１」，「７」，「１３」，「１９」，「２５」，「３１」，「３７」，「４３」，「４９」，「５５」のスロット１５内の径方向内側から３番目の挿入導体２１の第２端部接続部２４に接続されている。更に、当該１０個の第４連結導体３４の第４径方向渡り部８３の第２接続部５５は、各第４連結導体３４の第１接続部５４が接続された挿入導体２１が挿入されたスロット１５から反時計方向に６個進んだ位置にあるスロット１５に挿入された４本の挿入導体２１のうち径方向内側から４番目の挿入導体２１の第２端部接続部２４に接続されている。即ち、当該１０個の第４連結導体３４の第４径方向渡り部８３の第２接続部５５は、スロット番号「７」，「１３」，「１９」，「２５」，「３１」，「３７」，「４３」，「４９」，「５５」，「１」のスロット１５に挿入された４本の挿入導体２１のうち径方向内側から４番目の挿入導体２１の第２端部接続部２４に接続されている。
【０１２６】
また、ステータコア１２の軸方向の他端側で６層目に積層された１０個の第５連結導体３５の第５径方向渡り部８７の第１接続部５４は、スロット番号「１」，「７」，「１３」，「１９」，「２５」，「３１」，「３７」，「４３」，「４９」，「５５」のスロット１５内の径方向内側から２番目の挿入導体２１の第２端部接続部２４に接続されている。更に、当該１０個の第５連結導体３５の第５径方向渡り部８８の第２接続部５５は、各第５連結導体３５の第１接続部５４が接続された挿入導体２１が挿入されたスロット１５から反時計方向に６個進んだ位置にあるスロット１５に挿入された４本の挿入導体２１のうち径方向内側から１番目の挿入導体２１の第２端部接続部２４に接続されている。即ち、当該１０個の第５連結導体３５の第５径方向渡り部８８の第２接続部５５は、スロット番号「７」，「１３」，「１９」，「２５」，「３１」，「３７」，「４３」，「４９」，「５５」，「１」のスロット１５に挿入された４本の挿入導体２１のうち径方向内側から１番目の挿入導体２１の第２端部接続部２４に接続されている。
【０１２７】
そして、図６及び図７に示すように、ステータコア１２の軸方向の他端側に層状に積層された第４連結導体３４及び第５連結導体３５においては、環状部１３上で、各層の第４周方向渡り部８１が軸方向に積層されるとともに、第４周方向渡り部８１の径方向内側で各層の第５周方向渡り部８６が軸方向に積層されている。また、ステータコア１２の軸方向の他端側で層状に積層された連結導体３４，３５において、同相の巻線を構成する複数の連結導体３４，３５は、互いに軸方向に重ならない。例えば、ステータコア１２の軸方向の他端側で１層目に積層されて第２系統の３相巻線Ｍ２のＶ相の巻線Ｍ２ｖを構成する複数の連結導体３４，３５は、互いに軸方向に重なることなく配置されている。
【０１２８】
図１６に示すように、ステータコア１２の軸方向の他端面と、ステータコア１２の軸方向の他端側で１層目に積層された第４連結導体３４及び第５連結導体３５との間には、ステータコア１２と当該１層目の第４連結導体３４及び第５連結導体３５とを電気的に絶縁するインシュレータ７１が介在されている。また、ステータコア１２の軸方向に隣り合う連結導体３４，３５の層の間には、ステータコア１２の軸方向に隣り合う連結導体３４，３５同士を電気的に絶縁するインシュレータ７１が介在されている。
【０１２９】
図３乃至図５に示すように、上記のように構成された巻線Ｍにおいて、第１系統の３相巻線Ｍ１のＵ相の巻線Ｍ１ｕは、スロット番号「５５」のスロット１５から順に５個置きの１０個のスロット１５に挿入された挿入導体２１と、ステータコア１２の軸方向の一端側で１層目に積層された連結導体３１〜３３と、ステータコア１２の軸方向の他端側で６層目に積層された連結導体３４，３５とから構成されている。
【０１３０】
図２（ａ）及び図２４乃至図２６に示すように、第１系統のＵ相の巻線Ｍ１ｕを、第１Ｕ相電源端子Ｔ１ｕから順に辿ると、まず、スロット番号「４９」のスロット１５内の径方向内側から１番目の挿入導体２１が、ステータコア１２の軸方向の他端側で６層目に積層された１個の第５連結導体３５によって、スロット番号「４３」のスロット１５内の径方向内側から２番目の挿入導体２１に連結されている。そして、スロット番号「４３」のスロット１５内の径方向内側から２番目の挿入導体２１は、ステータコア１２の軸方向の一端側で１層目に積層された１個の第１連結導体３１によって、スロット番号「４９」のスロット１５内の径方向内側から４番目の挿入導体２１に連結されている。更に、スロット番号「４９」のスロット１５内の径方向内側から４番目の挿入導体２１は、ステータコア１２の軸方向の他端側で６層目に積層された１個の第４連結導体３４によって、スロット番号「４３」のスロット１５内の径方向内側から３番目の挿入導体２１に連結されている。このように、スロット番号「４９」のスロット１５と、スロット番号「４９」のスロット１５からスロット番号が減算される方向に６スロット進んだ位置にあるスロット番号「４３」のスロット１５との間の６本のティース１４に分布巻にて第１系統のＵ相の巻線Ｍ１ｕが巻装されている。そして、スロット番号「４３」のスロット１５内の径方向内側から３番目の挿入導体２１は、ステータコア１２の軸方向の一端側で１層目に積層された１個の第２連結導体３２によって、スロット番号「３７」のスロット１５内の径方向内側から１番目の挿入導体２１に連結されている。
【０１３１】
第１系統の３相巻線Ｍ１のＵ相の巻線Ｍ１ｕは、以後同様に、スロット１５内の径方向内側から１番目の挿入導体２１、第５連結導体３５、スロット１５内の径方向内側から２番目の挿入導体２１、第１連結導体３１、スロット１５内の径方向内側から４番目の挿入導体２１、第４連結導体３４、スロット１５内の径方向内側から３番目の挿入導体２１、第２連結導体３２の順序で３回繰り返してステータコア１２に巻装されている。これにより、スロット番号「３７」，「３１」のスロット１５間の６本のティース１４、スロット番号「２５」，「１９」のスロット１５間の６本のティース１４、スロット番号「１３」，「７」のスロット１５間の６本のティース１４に第１系統の３相巻線Ｍ１のＵ相の巻線Ｍ１ｕが分布巻にてそれぞれ巻装されている。
【０１３２】
更に、第１系統の３相巻線Ｍ１のＵ相の巻線Ｍ１ｕにおいては、スロット番号「１」のスロット１５内の径方向内側から１番目の挿入導体２１が、ステータコア１２の軸方向の他端側で６層目に積層された１個の第５連結導体３５によって、スロット番号「５５」のスロット１５内の径方向内側から２番目の挿入導体２１に連結されている。そして、スロット番号「５５」のスロット１５内の径方向内側から２番目の挿入導体２１は、ステータコア１２の軸方向の一端側で１層目に積層された１個の第１連結導体３１によって、スロット番号「１」のスロット１５内の径方向内側から４番目の挿入導体２１に連結されている。更に、スロット番号「１」のスロット１５内の径方向内側から４番目の挿入導体２１は、ステータコア１２の軸方向の他端側で６層目に積層された１個の第４連結導体３４によって、スロット番号「５５」のスロット１５内の径方向内側から３番目の挿入導体２１に連結されている。このように、スロット番号「１」のスロット１５と、スロット番号「１」のスロット１５からスロット番号が減算される方向に６スロット進んだ位置にあるスロット番号「５５」のスロット１５との間の６本のティース１４に分布巻にて第１系統のＵ相の巻線Ｍ１ｕが巻装されている。
【０１３３】
そして、第１系統の３相巻線Ｍ１のＵ相の巻線Ｍ１ｕにおいては、スロット番号「５５」のスロット１５内の径方向内側から３番目の挿入導体２１が、ステータコア１２の軸方向の一端側で１層目に積層された１個の第３連結導体３３によって、スロット番号「４９」のスロット１５内の径方向内側から２番目の挿入導体２１に連結されている。更に、スロット番号「４９」のスロット１５内の径方向内側から２番目の挿入導体２１は、ステータコア１２の軸方向の他端側で６層目に積層された１個の第５連結導体３５によって、スロット番号「５５」のスロット１５内の径方向内側から１番目の挿入導体２１に連結されている。また、スロット番号「５５」のスロット１５内の径方向内側から１番目の挿入導体２１は、ステータコア１２の軸方向の一端側で１層目に積層された１個の第２連結導体３２によって、スロット番号「１」のスロット１５内の径方向内側から３番目の挿入導体２１に連結されている。
【０１３４】
更に、第１系統の３相巻線Ｍ１のＵ相の巻線Ｍ１ｕにおいては、スロット番号「１」のスロット１５内の径方向内側から３番目の挿入導体２１が、ステータコア１２の軸方向の他端側で６層目に積層された１個の第４連結導体３４によって、スロット番号「７」のスロット１５内の径方向内側から４番目の挿入導体２１に連結されている。そして、スロット番号「７」のスロット１５内の径方向内側から４番目の挿入導体２１は、ステータコア１２の軸方向の一端側で１層目に積層された１個の第１連結導体３１によって、スロット番号「１」のスロット１５内の径方向内側から２番目の挿入導体２１に連結されている。更に、スロット番号「１」のスロット１５内の径方向内側から２番目の挿入導体２１は、ステータコア１２の軸方向の他端側で６層目に積層された１個の第５連結導体３５によって、スロット番号「７」のスロット１５内の径方向内側から１番目の挿入導体２１に連結されている。このように、スロット番号「１」のスロット１５と、スロット番号「１」のスロット１５からスロット番号が加算される方向に６スロット進んだ位置にあるスロット番号「７」のスロット１５との間の６本のティース１４に分布巻にて第１系統のＵ相の巻線Ｍ１ｕが巻装されている。スロット番号「１」，「７」のスロット１５間のティース１４に巻装された当該巻線は、第１系統の３相巻線Ｍ１のＵ相の巻線Ｍ１ｕにおいて前記第１Ｕ相電源端子Ｔ１ｕと前記第３連結導体３３との間に形成された前記巻線とは巻回方向が反対方向となっている。そして、スロット番号「７」のスロット１５内の径方向内側から１番目の挿入導体２１は、ステータコア１２の軸方向の一端側で１層目に積層された１個の第２連結導体３２によって、スロット番号「１３」のスロット１５内の径方向内側から３番目の挿入導体２１に連結されている。
【０１３５】
第１系統の３相巻線Ｍ１のＵ相の巻線Ｍ１ｕは、以後同様に、スロット１５内の径方向内側から３番目の挿入導体２１、第４連結導体３４、スロット１５内の径方向内側から４番目の挿入導体２１、第１連結導体３１、スロット１５内の径方向内側から２番目の挿入導体２１、第５連結導体３５、スロット１５内の径方向内側から１番目の挿入導体２１、第２連結導体３２の順序で３回繰り返してステータコア１２に巻装されている。これにより、スロット番号「１３」，「１９」のスロット１５間の６本のティース１４、スロット番号「２５」，「３１」のスロット１５間の６本のティース１４、スロット番号「３７」，「４３」のスロット１５間の６本のティース１４に第１系統の３相巻線Ｍ１のＵ相の巻線Ｍ１ｕが分布巻にてそれぞれ巻装されている。そして、これらの巻線（即ち第３連結導体３３と第１Ｕ相中性点端子Ｎ１ｕとの間に形成された巻線）は、前記第１Ｕ相電源端子Ｔ１ｕと前記第３連結導体３３との間に形成された前記巻線とは巻回方向が反対方向となっている。
【０１３６】
更に、第１系統の３相巻線Ｍ１のＵ相の巻線Ｍ１ｕにおいては、スロット番号「４９」のスロット１５内の径方向内側から３番目の挿入導体２１が、ステータコア１２の軸方向の他端側で６層目に積層された１個の第４連結導体３４によって、スロット番号「５５」のスロット１５内の径方向内側から４番目の挿入導体２１に連結されている。そして、スロット番号「５５」のスロット１５内の径方向内側から４番目の挿入導体２１の第１端部接続部２２には、第１Ｕ相中性点端子Ｎ１ｕが接続されている。
【０１３７】
図２（ａ）及び図３乃至図５に示すように、巻線Ｍにおいて、第１系統の３相巻線Ｍ１のＶ相の巻線Ｍ１ｖは、スロット番号「５７」のスロット１５から順に５個置きの１０個のスロット１５に挿入された挿入導体２１と、ステータコア１２の軸方向の一端側で４層目に積層された連結導体３１〜３３と、ステータコア１２の軸方向の他端側で３層目に積層された連結導体３４，３５とから構成されている。即ち、第１系統の３相巻線Ｍ１のＶ相の巻線Ｍ１ｖは、第１系統の３相巻線Ｍ１のＵ相の巻線Ｍ１ｕに対して、ステータコア１２の軸方向の一端側（第１端部接続部２２側）から見て時計方向に２スロットピッチ（２スロット分）ずれた各スロット１５に同様の順序で巻装されている。
【０１３８】
また、巻線Ｍにおいて、第１系統の３相巻線Ｍ１のＷ相の巻線Ｍ１ｗは、スロット番号「５３」のスロット１５から順に５個置きの１０個のスロット１５に挿入された挿入導体２１と、ステータコア１２の軸方向の一端側で５層目に積層された連結導体３１〜３３と、ステータコア１２の軸方向の他端側で２層目に積層された連結導体３４，３５とから構成されている。即ち、第１系統の３相巻線Ｍ１のＷ相の巻線Ｍ１ｗは、第１系統の３相巻線Ｍ１のＵ相の巻線Ｍ１ｕに対して、ステータコア１２の軸方向の一端側（第１端部接続部２２側）から見て反時計方向に２スロットピッチずれた各スロット１５に同様の順序で巻装されている。
【０１３９】
また、巻線Ｍにおいて、第２系統の３相巻線Ｍ２のＵ相の巻線Ｍ２ｕは、スロット番号「５６」のスロット１５から順に５個置きの１０個のスロット１５に挿入された挿入導体２１と、ステータコア１２の軸方向の一端側で２層目に積層された連結導体３１〜３３と、ステータコア１２の軸方向の他端側で５層目に積層された連結導体３４，３５とから構成されている。即ち、第２系統の３相巻線Ｍ２のＵ相の巻線Ｍ２ｕは、第１系統の３相巻線Ｍ１のＵ相の巻線Ｍ１ｕに対して、ステータコア１２の軸方向の一端側（第１端部接続部２２側）から見て時計方向に１スロットピッチずれた各スロット１５に同様の順序で巻装されている。
【０１４０】
また、巻線Ｍにおいて、第２系統の３相巻線Ｍ２のＶ相の巻線Ｍ２ｖは、スロット番号「５８」のスロット１５から順に５個置きの１０個のスロット１５に挿入された挿入導体２１と、ステータコア１２の軸方向の一端側で６層目に積層された連結導体３１〜３３と、ステータコア１２の軸方向の他端側で１層目に積層された連結導体３４，３５とから構成されている。即ち、第２系統の３相巻線Ｍ２のＶ相の巻線Ｍ２ｖは、第２系統の３相巻線Ｍ２のＵ相の巻線Ｍ２ｕに対して、ステータコア１２の軸方向の一端側（第１端部接続部２２側）から見て時計方向に２スロットピッチずれた各スロット１５に同様の順序で巻装されている。
【０１４１】
また、巻線Ｍにおいて、第２系統の３相巻線Ｍ２のＷ相の巻線Ｍ２ｗは、スロット番号「５４」のスロット１５から順に５個置きの１０個のスロット１５に挿入された挿入導体２１と、ステータコア１２の軸方向の一端側で３層目に積層された連結導体３１〜３３と、ステータコア１２の軸方向の他端側で４層目に積層された連結導体３４，３５とから構成されている。即ち、第２系統の３相巻線Ｍ２のＷ相の巻線Ｍ２ｗは、第２系統の３相巻線Ｍ２のＵ相の巻線Ｍ２ｕに対して、ステータコア１２の軸方向の一端側（第１端部接続部２２側）から見て反時計方向に２スロットピッチずれた各スロット１５に同様の順序で巻装されている。
【０１４２】
そして、第２系統の３相巻線Ｍ２は、第１系統の３相巻線Ｍ１に対して周方向の一方側（ステータコア１２の軸方向の一端側から見て時計方向側）に１スロットピッチずれてステータコア１２に巻装されている。
【０１４３】
図１７（ａ）に示すように、第１Ｕ相中性点端子Ｎ１ｕ、第１Ｖ相中性点端子Ｎ１ｖ及び第１Ｗ相中性点端子Ｎ１ｗを互いに接続することにより、第１系統の３相巻線Ｍ１の第１中性点Ｎ１が形成されている。また、第１Ｕ相電源端子Ｔ１ｕ、第１Ｖ相電源端子Ｔ１ｖ及び第１Ｗ相電源端子Ｔ１ｗは、第１系統の３相巻線Ｍ１における各相の電力を受電する端子となっている。これにより、図１７（ａ）に示すような電気回路からなる３相Ｙ結線の第１系統の３相巻線Ｍ１が形成されている。また、図１７（ｂ）に示すように、第２Ｕ相中性点端子Ｎ２ｕ、第２Ｖ相中性点端子Ｎ２ｖ及び第２Ｗ相中性点端子Ｎ２ｗを互いに接続することにより、第２系統の３相巻線Ｍ２の第２中性点Ｎ２が形成されている。また、第２Ｕ相電源端子Ｔ２ｕ、第２Ｖ相電源端子Ｔ２ｖ及び第２Ｗ相電源端子Ｔ２ｗは、第２系統の３相巻線Ｍ２における各相の電力を受電する端子となっている。これにより、図１７（ｂ）に示すような電気回路からなる３相Ｙ結線の第２系統の３相巻線Ｍ２が形成されている。
【０１４４】
そして、第１系統の３相巻線Ｍ１と、第２系統の３相巻線Ｍ２とにはそれぞれ独立した３相交流電源が供給される。本実施形態では、第１系統の３相巻線Ｍ１に通電（給電）される３相交流電源と第２系統の３相巻線Ｍ２に供給される３相交流電源とは、電気角３０°の位相差を有する。
【０１４５】
上記のように構成されたステータ１１では、各スロット１５に挿入された４本ずつの挿入導体２１は、巻線Ｍを構成する６相の巻線Ｍ１ｕ，Ｍ１ｖ，Ｍ１ｗ，Ｍ２ｕ，Ｍ２ｖ，Ｍ２ｗのうち同じ相の巻線を構成している。そして、同じ相の巻線を構成する挿入導体２１の第１端部接続部２２は、ステータコア１２の軸方向の一端側に積層された６層の連結導体３１〜３３のうち同じ層の連結導体３１〜３３に接続されている。そのため、スロット１５ごとに、挿入された４本の挿入導体２１の第１端部接続部２２の軸方向の位置（ステータコア１２の軸方向の位置）が等しいとともに、５個置きのスロット１５に挿入された挿入導体２１の第１端部接続部２２の軸方向の位置（ステータコア１２の軸方向の位置）が等しくなっている。同様に、同じ相の巻線を構成する挿入導体２１の第２端部接続部２４は、ステータコア１２の軸方向の他端側に積層された６層の連結導体３４，３５のうち同じ層の連結導体３４，３５に接続されている。そのため、スロット１５ごとに、挿入された４本の挿入導体２１の第２端部接続部２４の軸方向の位置（ステータコア１２の軸方向の位置）が等しいとともに、５個置きのスロット１５に挿入された挿入導体２１の第２端部接続部２４の軸方向の位置（ステータコア１２の軸方向の位置）が等しくなっている。
【０１４６】
更に、同相の巻線を構成する複数の連結導体３１〜３５は、ステータコア１２の軸方向の両側で、ステータコア１２の軸方向の端面からの高さが等しく配置されている。そして、異なる相の巻線を構成する連結導体３１〜３５は、ステータコア１２の軸方向の両側で、軸方向に完全にずれて軸方向に層状に積層されている。即ち、ステータコア１２の周方向の何れの位置から径方向に見ても、異なる相の巻線を構成する連結導体３１〜３５は、径方向に重なる部分が無い。
【０１４７】
更に、図５及び図６に示すように、ステータコア１２の軸方向の両側に積層された連結導体３１〜３５を、ステータ１１の軸方向の一端側から軸方向に沿って一方向（図６において左から右に向かう方向）に見ると、ステータコア１２の軸方向の一端側では、ステータコア１２の軸方向の一端面から遠い層から、第２系統のＶ相の巻線Ｍ２ｖを構成する連結導体３１〜３３の層、第１系統のＷ相の巻線Ｍ１ｗを構成する連結導体３１〜３３の層、第１系統のＶ相の巻線Ｍ１ｖを構成する連結導体３１〜３３の層、第２系統のＷ相の巻線Ｍ２ｗを構成する連結導体３１〜３３の層、第２系統のＵ相の巻線Ｍ２ｕを構成する連結導体３１〜３３の層、第１系統のＵ相の巻線Ｍ１ｕを構成する連結導体３１〜３３の層の順に積層されている。そして、ステータコア１２の軸方向の他端側では、ステータコア１２の軸方向の他端面に近い層から、第２系統のＶ相の巻線Ｍ２ｖを構成する連結導体３４，３５の層、第１系統のＷ相の巻線Ｍ１ｗを構成する連結導体３４，３５の層、第１系統のＶ相の巻線Ｍ１ｖを構成する連結導体３４，３５の層、第２系統のＷ相の巻線Ｍ２ｗを構成する連結導体３４，３５の層、第２系統のＵ相の巻線Ｍ２ｕを構成する連結導体３４，３５の層、第１系統のＵ相の巻線Ｍ１ｕを構成する連結導体３４，３５の層の順に積層されている。このため、各相の巻線Ｍ１ｕ，Ｍ１ｖ，Ｍ１ｗ，Ｍ２ｕ，Ｍ２ｖ，Ｍ２ｗは、ステータコア１２の軸方向の一端側に積層された連結導体３１〜３３の層と、ステータコア１２の軸方向の他端側に積層された連結導体３４，３５の層と間の軸方向の距離が互いに等しくなっている。従って、全ての挿入導体２１の軸方向の長さを等しくできている。
【０１４８】
また、図３乃至図５及び図１６に示すように、周方向に隣り合うスロット１５に挿入された挿入導体２１の第１端部接続部２２は、ステータコア１２の軸方向の一端側に積層された６層の連結導体３１〜３３において、１層差（１段差）若しくは２層差（２段差）となる層の連結導体３１〜３３の接続部５４，５５に接続されている。即ち、周方向に隣り合う任意の２つの挿入導体２１がステータコア１２の軸方向の一端側で接続される２つの接続部５４若しくは接続部５５は、当該２つの接続部５４若しくは接続部５５のうち一方の接続部が、他方の接続部を含む連結導体３１〜３３の層に対して軸方向に１層離間した連結導体３１〜３３の層に含まれるものと、当該２つの接続部５４若しくは接続部５５のうち一方の接続部が、他方の接続部を含む連結導体３１〜３３の層に対して軸方向に２層離間した連結導体３１〜３３の層に含まれるものとの何れかである。例えば、スロット番号「１」のスロット１５に挿入された４本の挿入導体２１の第１端部接続部２２は、ステータコア１２の軸方向の一端側で１層目に積層された第１系統のＵ相の巻線Ｍ１ｕを構成する第１連結導体３１若しくは第２連結導体３２の第１接続部５４若しくは第２接続部５５に接続されている。そして、スロット番号「１」のスロット１５と周方向の一方側で隣り合うスロット番号「２」のスロット１５に挿入された４本の挿入導体２１の第１端部接続部２２は、ステータコア１２の軸方向の一端側で１層目の連結導体３１〜３３とは１層差（１段差）となる２層目に積層された第２系統のＵ相の巻線Ｍ２ｕを構成する第１連結導体３１若しくは第２連結導体３２の第１接続部５４若しくは第２接続部５５に接続されている。更に、スロット番号「１」のスロット１５と周方向の他方側で隣り合うスロット番号「６０」のスロット１５に挿入された４本の挿入導体２１の第１端部接続部２２は、ステータコア１２の軸方向の一端側で１層目の連結導体３１〜３３とは２層差（２段差）となる３層目に積層された第２系統のＷ相の巻線Ｍ２ｗを構成する第１連結導体３１若しくは第２連結導体３２の第１接続部５４若しくは第２接続部５５に接続されている。
【０１４９】
尚、前記したように、各相の巻線Ｍ１ｕ，Ｍ１ｖ，Ｍ１ｗ，Ｍ２ｕ，Ｍ２ｖ，Ｍ２ｗは、ステータコア１２の軸方向の一端側に積層された連結導体３１〜３３の層と、ステータコア１２の軸方向の他端側に積層された連結導体３４，３５の層との間の軸方向の距離が互いに等しくなっているとともに、全ての挿入導体２１の軸方向の長さが等しい。そのため、周方向に隣り合うスロット１５に挿入された挿入導体２１の第２端部接続部２４も、ステータコア１２の軸方向の他端側に積層された６層の連結導体３４，３５において、１層差（１段差）若しくは２層差（２段差）となる層の連結導体３４，３５の接続部５４，５５に接続されている。即ち、周方向に隣り合う任意の２つの挿入導体２１がステータコア１２の軸方向の他端側で接続される２つの接続部５４若しくは接続部５５は、当該２つの接続部５４若しくは接続部５５のうち一方の接続部が、他方の接続部を含む連結導体３４，３５の層に対して軸方向に１層離間した連結導体３４，３５の層に含まれるものと、当該２つの接続部５４若しくは接続部５５のうち一方の接続部が、他方の接続部を含む連結導体３４，３５の層に対して軸方向に２層離間した連結導体３４，３５の層に含まれるものとの何れかである。
【０１５０】
そして、第１端部接続部２２と連結導体３１〜３３、第２端部接続部２４と連結導体３４，３５は、本実施形態では、アーク溶接（例えばＴｉｇ溶接）により機械的及び電気的に接続されている。図６及び図１６に示すように、ステータコア１２の軸方向の一端側で第１端部接続部２２と連結導体３１〜３３の接続部５４，５５とを接続するときには、まず、１個のスロット１５に挿入された４本の挿入導体２１の第１端部接続部２２と、これらの挿入導体２１の第１当接面２３上に配置された第１接続部５４若しくは第２接続部５５とを、溶接装置の溶接ガンを径方向外側から径方向内側に移動させながら径方向外側から順に接続していく。その後、溶接ガンを、直前に溶接を施した挿入導体２１が接続された連結導体３１〜３３の層と、次に溶接を施す挿入導体２１が接続される連結導体３１〜３３の層との段差分だけ軸方向に移動させる。更に、溶接ガンをステータコア１２の周方向にスロット１個分移動させて、次に溶接を施す挿入導体２１が挿入されたスロット１５上に同溶接ガンを配置する。そして、溶接ガンと軸方向に対向するスロット１５に挿入された４本の挿入導体２１の第１端部接続部２２と、これらの挿入導体２１の第１当接面２３上に配置された第１接続部５４若しくは第２接続部５５とを、溶接ガンを径方向外側から径方向内側に移動させながら径方向外側から順に接続していく。以後同様にして、各スロット１５内の挿入導体２１の第１端部接続部２２と連結導体３１〜３３の第１接続部５４及び第２接続部５５とを接続していく。尚、溶接装置のアース電極は、溶接を行う連結導体３１〜３３の周方向渡り部５１，５６，６１に径方向外側から接触する。また、ステータコア１２の軸方向の他端側で第２端部接続部２４と連結導体３４，３５とを接続するときにも同様にして溶接が行われる。
【０１５１】
図１に示すように、上記のように第１系統の３相巻線Ｍ１と第２系統の３相巻線Ｍ２とが巻回されたステータ１１の内側には、ロータ１０１が配設されている。ロータ１０１の回転軸１０２は、略円柱状をなしている。そして、回転軸１０２は、ヨーク３の底部中央に設けられた軸受１１１と、エンドプレート４の中央に設けられた軸受１１２とによって軸支されている。即ち、ロータ１０１は、該回転軸１０２が軸受１１１，１１２によって軸支されることによりモータケース２に対して回転可能に支持されている。回転軸１０２の基端部（即ちヨーク３の底部側の端部）は、ヨーク３の底部を貫通して前記収容ボックス５の内部に突出している。また、回転軸１０２の先端部（即ちエンドプレート４側の端部）は、エンドプレート４を貫通してモータケース２の外部に突出している。また、回転軸１０２において軸受１１１と軸受１１２との間となる部分に、ロータコア１０３が外嵌固定されている。このロータコア１０３の外周面には、複数のマグネット１０４が固着されている。ロータコア１０３及びマグネット１０４はステータ１１の内側に配置されるとともに、マグネット１０４はステータ１１と径方向に対向している。
【０１５２】
前記収容ボックス５内には、駆動装置１２１が収納されている。駆動装置１２１は、ロータ１０１の回転を制御するための回転センサ１２２、ＥＣＵ（電子制御ユニット）１２３、第１スイッチングトランジスタＱ１ｕ，Ｑ１ｖ，Ｑ１ｗ並びに第２スイッチングトランジスタＱ２ｕ，Ｑ２ｖ，Ｑ２ｗ等の各種の回路素子、及び回路基板１２４を有する。回路基板１２４は、収容ボックス５の内部で同収容ボックス５の底部に固定されている。
【０１５３】
回転センサ１２２は、ヨーク３の底部中央を貫通して収容ボックス５の内部に突出した回転軸１０２の基端面と対向するように回路基板１２４に実装されている。回転センサ１２２は、本実施形態ではＭＲセンサ等の磁気センサからなる。回転軸１０２の基端面には、同回転軸１０２と一体回転する検出用マグネット１２２ａが固定されており、回転センサ１２２は、当該検出用マグネット１２２ａの回転角を検出して検出した回転角に応じた検出信号を出力する。
【０１５４】
ＥＣＵ１２３はマイクロコンピュータを有する。ＥＣＵ１２３は、回転センサ１２２が出力する検出信号に基づいて、その時々のロータ１０１の回転角度、回転速度等を検出する。そして、検出したロータ１０１の回転角度、回転速度等に基づいて、ＥＣＵ１２３は、第１系統の３相巻線Ｍ１及び第２系統の３相巻線Ｍ２の各相の巻線Ｍ１ｕ，Ｍ１ｖ，Ｍ１ｗ，Ｍ２ｕ，Ｍ２ｖ，Ｍ２ｗへの電力供給タイミングを演算する。更に、ＥＣＵ１２３は、その演算結果に基づいて、第１系統の３相巻線Ｍ１及び第２系統の３相巻線Ｍ２の各相の巻線Ｍ１ｕ，Ｍ１ｖ，Ｍ１ｗ，Ｍ２ｕ，Ｍ２ｖ，Ｍ２ｗへ給電するための制御信号を出力する。
【０１５５】
第１スイッチングトランジスタＱ１ｕ，Ｑ１ｖ，Ｑ１ｗは、例えば、パワーＭＯＳトランジスタからなり、ＥＣＵ１２３が出力する制御信号に基づいてオンオフ制御されるようになっている。そして、第１スイッチングトランジスタＱ１ｕには第１Ｕ相電源端子Ｔ１ｕが接続され、第１スイッチングトランジスタＱ１ｖには第１Ｖ相電源端子Ｔ１ｖが接続され、第１スイッチングトランジスタＱ１ｗには第１Ｗ相電源端子Ｔ１ｗが接続されている。第１スイッチングトランジスタＱ１ｕ，Ｑ１ｖ，Ｑ１ｗは、所定のタイミングでオンオフ制御されることによって、第１系統の３相巻線Ｍ１の各相の巻線Ｍ１ｕ，Ｍ１ｖ，Ｍ１ｗに電力をそれぞれ供給制御する。これによって、第１系統の３相巻線Ｍ１による回転磁界がステータ１１に生成される。
【０１５６】
第２スイッチングトランジスタＱ２ｕ，Ｑ２ｖ，Ｑ２ｗは、例えば、パワーＭＯＳトランジスタからなり、ＥＣＵ１２３が出力する制御信号に基づいてオンオフ制御されるようになっている。そして、第２スイッチングトランジスタＱ２ｕには第２Ｕ相電源端子Ｔ２ｕが接続され、第２スイッチングトランジスタＱ２ｖには第２Ｖ相電源端子Ｔ２ｖが接続され、第２スイッチングトランジスタＱ２ｗには第２Ｗ相電源端子Ｔ２ｗが接続されている。第２スイッチングトランジスタＱ２ｕ，Ｑ２ｖ，Ｑ２ｗは、所定のタイミングでオンオフ制御されることによって、第２系統の３相巻線Ｍ２の各相の巻線Ｍ２ｕ，Ｍ２ｖ，Ｍ２ｗに電力をそれぞれ供給制御する。これによって、第２系統の３相巻線Ｍ２による回転磁界がステータ１１に生成される。
【０１５７】
そして、本実施形態のブラシレスモータ１においては、ステータ１１に生成された第１系統の３相巻線Ｍ１による回転磁界及び第２系統の３相巻線Ｍ２による回転磁界に応じてロータ１０１が回転される。
【０１５８】
次に、本実施形態のステータ１１の作用を説明する。
各相の巻線Ｍ１ｕ，Ｍ１ｖ，Ｍ１ｗ，Ｍ２ｕ，Ｍ２ｖ，Ｍ２ｗを構成する挿入導体２１は、スロット１５に軸方向から挿入されるものであるため、挿入導体２１の断面形状をスロット１５の断面形状に応じた形状とすることができる。
【０１５９】
また、周方向に離間した位置にある挿入導体２１は、ステータコア１２の軸方向の両側に配置され挿入導体２１に接続される連結導体３１〜３５によって連結されている。そのため、挿入導体２１若しくは連結導体３１〜３５に、従来の巻線を構成するセグメントのようにステータコア１２の軸方向の両側で同ステータコア１２の軸方向に対して傾斜する部分を設けなくてもよい。更に、各相の巻線Ｍ１ｕ，Ｍ１ｖ，Ｍ１ｗ，Ｍ２ｕ，Ｍ２ｖ，Ｍ２ｗにおいては、複数の連結導体３１〜３５は、互いに軸方向に重ならない。従って、挿入導体２１及び連結導体３１〜３５がステータコア１２の軸方向の端面から軸方向に大きく突出することが抑制される。
【０１６０】
上記したように、本実施形態によれば、以下の効果を有する。
（１）各相の巻線Ｍ１ｕ，Ｍ１ｖ，Ｍ１ｗ，Ｍ２ｕ，Ｍ２ｖ，Ｍ２ｗを構成する挿入導体２１は、スロット１５に軸方向から挿入されるものであるため、挿入導体２１の断面形状をスロット１５の断面形状に応じた形状とすることができる。従って、占積率を高くすることができる。また、周方向に離間した位置にある挿入導体２１は、ステータコア１２の軸方向の両側に配置され挿入導体２１に接続される連結導体３１〜３５によって連結されている。そのため、挿入導体２１若しくは連結導体３１〜３５に、従来の巻線を構成するセグメントのようにステータコア１２の軸方向の両側で同ステータコア１２の軸方向に対して傾斜する部分を設けなくてもよい。更に、各相の巻線Ｍ１ｕ，Ｍ１ｖ，Ｍ１ｗ，Ｍ２ｕ，Ｍ２ｖ，Ｍ２ｗにおいては、複数の連結導体３１〜３５は、互いに軸方向に重ならない。従って、挿入導体２１及び連結導体３１〜３５がステータコア１２の軸方向の端面から軸方向に大きく突出することが抑制される。即ち、巻線Ｍにおいてステータコア１２の軸方向の端面から軸方向に突出した部分であるコイルエンドの軸方向の高さを抑えることができる。
【０１６１】
（２）第１連結導体３１においては、第１周方向渡り部５１が、第１径方向渡り部５２の軸方向の幅Ｈ２の範囲内且つ第１径方向渡り部５３の軸方向の幅Ｈ３の範囲内に位置する。また、第２連結導体３２、第３連結導体３３、第４連結導体３４及び第５連結導体３５についても同様である。そのため、各連結導体３１〜３５におけるステータコア１２の軸方向の幅が広くなることが抑制されている。従って、コイルエンドの軸方向の高さを更に抑えることができる。
【０１６２】
（３）各挿入導体２１は、ステータコア１２の軸方向に沿った直線状をなしている。そのため、各挿入導体２１をステータコア１２の軸方向からスロット１５に容易に挿入することができる。そして、挿入導体２１は、該挿入導体２１に接続される連結導体３１〜３５によって連結されるものであるため、当該挿入導体２１をスロット１５に収容した後に周方向に折り曲げなくてもよい。従って、ステータ１１の製造が容易となるため、製造コストを低減することができる。また、挿入導体２１をスロット１５に収容した後に同挿入導体２１を折り曲げなくてもよいため、挿入導体２１と連結導体３１〜３５との接続不良を抑制することができる。
【０１６３】
（４）第１連結導体３１において、第１周方向渡り部５１が、第１径方向渡り部５２の軸方向の幅Ｈ２の範囲内且つ第１径方向渡り部５３の軸方向の幅Ｈ３の範囲内に位置する。また、第２連結導体３２、第３連結導体３３、第４連結導体３４及び第５連結導体３５についても同様である。更に、同相の巻線を構成する複数の連結導体３１〜３５は、ステータコア１２の軸方向の両側で、ステータコア１２の軸方向の端面からの高さ（軸方向の高さ）が等しく配置されている。そのため、巻線Ｍを構成する各相の巻線Ｍ１ｕ，Ｍ１ｖ，Ｍ１ｗ，Ｍ２ｕ，Ｍ２ｖ，Ｍ２ｗは、ステータコア１２の軸方向の両側で軸方向の厚さが厚くなることがそれぞれ抑制されている。従って、コイルエンドの軸方向の高さを一層抑えることができる。また、異なる相の巻線を構成する連結導体３１〜３５は、ステータコア１２の軸方向の両側で、軸方向に完全にずれて軸方向に層状に積層されている。そのため、異なる相の巻線を構成する連結導体３１〜３５同士の絶縁性を確保し易くなる。更に、異なる相の巻線を構成する連結導体３１〜３５の第１接続部５４及び第２接続部５５同士が径方向に重ならない。即ち、１つの相の巻線を構成する連結導体３１〜３５の第１接続部５４及び第２接続部５５の軸方向の幅の範囲内に、他の相の巻線を構成する連結導体３１〜３５の第１接続部５４及び第２接続部５５が配置されない。従って、異なる相の巻線同士の絶縁性を確保しつつ、第１接続部５４及び第２接続部５５と挿入導体２１とを容易に接続することができる。これらのことから、巻線Ｍを構成する各相の巻線Ｍ１ｕ，Ｍ１ｖ，Ｍ１ｗ，Ｍ２ｕ，Ｍ２ｖ，Ｍ２ｗ同士の絶縁性を確保しやすい。
【０１６４】
（５）周方向に隣り合う任意の２つの挿入導体２１がステータコア１２の軸方向の一端側で接続される２つの接続部５４若しくは接続部５５は、当該２つの接続部５４若しくは接続部５５のうち一方の接続部が、他方の接続部を含む連結導体３１〜３３の層に対して軸方向に１層離間した連結導体３１〜３３の層に含まれるものと、当該２つの接続部５４若しくは接続部５５のうち一方の接続部が、他方の接続部を含む連結導体３１〜３３の層に対して軸方向に２層離間した連結導体３１〜３３の層に含まれるものとの何れかである。また、周方向に隣り合う任意の２つの挿入導体２１がステータコア１２の軸方向の他端側で接続される２つの接続部５４若しくは接続部５５は、当該２つの接続部５４若しくは接続部５５のうち一方の接続部が、他方の接続部を含む連結導体３４，３５の層に対して軸方向に１層離間した連結導体３４，３５の層に含まれるものと、当該２つの接続部５４若しくは接続部５５のうち一方の接続部が、他方の接続部を含む連結導体３４，３５の層に対して軸方向に２層離間した連結導体３４，３５の層に含まれるものとの何れかである。そのため、ステータコア１２の軸方向の一端側で挿入導体２１と接続部５４，５５とをステータコア１２の周方向に順に溶接にて接続する場合に、ステータコア１２に対して溶接装置の溶接ガンを軸方向に移動させる量は、連結導体３１〜３３の層をステータコア１２の軸方向に１層跨ぐ量、若しくは連結導体３１〜３３の層をステータコア１２の軸方向に２層跨ぐ量の何れかの量となる。同様に、ステータコア１２の軸方向の他端側で挿入導体２１と接続部５４，５５とをステータコア１２の周方向に順に溶接にて接続する場合に、ステータコア１２に対して溶接装置の溶接ガンを軸方向に移動させる量は、連結導体３４，３５の層をステータコア１２の軸方向に１層跨ぐ量、若しくは連結導体３４，３５の層をステータコア１２の軸方向に２層跨ぐ量の何れかの量となる。従って、ステータコア１２に対して溶接ガンを軸方向に移動させる量が、全て連結導体３１〜３３若しくは連結導体３４，３５の層をステータコア１２の軸方向に２層跨ぐ量である場合に比べて、ステータコア１２に対して溶接ガンを軸方向に移動させる量をより少なく抑えることができる。よって、溶接ガンの移動にかかる時間をより短縮することができる。その結果、挿入導体２１と接続部５４，５５との接続に要する時間をより短くすることができるため、挿入導体２１と接続部５４，５５との接続にかかるコストをより減少させることができる。そして、ステータ１１の生産性がより向上するため、ひいてはステータ１１の製造コストをより減少させることができる。
【０１６５】
（６）全ての挿入導体２１の軸方向の長さが等しいため、挿入導体２１の製造及び挿入導体２１の部品管理が容易となる。その結果、ステータ１１の製造コストを更に減少させることができる。
【０１６６】
（７）全ての挿入導体２１は同じ形状をなすため、挿入導体２１の製造及び挿入導体２１の部品管理がより容易となる。従って、ステータ１１の製造コストを一層減少させることができる。
【０１６７】
（８）連結導体３１〜３５は、絶縁被膜を備えない導電性板材から形成されるため、第１接続部５４及び第２接続部５５における絶縁被膜を除去する工程を行うことなく連結導体３１〜３５を形成することができる。従って、連結導体３１〜３５にかかる製造コストを減少させることができる。また、ステータコア１２の軸方向に隣り合う連結導体３１〜３５の層の間には、インシュレータ７１が介在されるため、該インシュレータ７１によって軸方向に隣り合う連結導体３１〜３５同士の電気的絶縁性が確保される。また、異なる相の巻線を構成する連結導体３１〜３５は、軸方向に層状に積層されているため、軸方向に隣り合う連結導体３１〜３５の層の間に容易にインシュレータ７１を介在させることができる。
【０１６８】
（９）全ての周方向渡り部５１，５６，６１，８１，８６は、環状部１３の径方向の厚さの範囲内に配置されている。そのため、挿入導体２１と接続部５４，５５とをアーク溶接にて接続する場合、径方向外側からアース電極を周方向渡り部５１，５６，６１，８１，８６に容易に接触させることができる。従って、挿入導体２１と接続部５４，５５との溶接による接続を容易に行うことができる。その結果、挿入導体２１と接続部５４，５５との接続にかかるコストを更に減少させることができる。
【０１６９】
（１０）ブラシレスモータ１は、占積率が高く且つコイルエンドの軸方向の高さが抑えられたステータ１１を備えているため、当該ブラシレスモータ１を高性能とすることができるとともに、当該ブラシレスモータ１の軸方向の大型化を抑制することができる。
【０１７０】
（１１）連結導体３１〜３５は、スロット１５に挿入される挿入導体２１とは別体で形成されてステータコア１２の軸方向の両側に軸方向に層状に積層されるものである。従って、連結導体３１〜３５の長手方向と直交する断面の断面積を一定に維持したまま、連結導体３１〜３５の径方向の厚さ及び軸方向の幅を容易に変更することができる。よって、連結導体３１〜３５の軸方向の幅を狭くすることで、コイルエンドの軸方向の高さを更に抑えることが可能である。
【０１７１】
（１２）スロット１５に挿入導体２１を挿入した後に挿入導体２１の軸方向の両端部を折り曲げなくてもよい。従来の略Ｕ字状のセグメントからなる巻線は、セグメントをスロットに挿入した後に同セグメントのスロットから突出した先端部を屈曲していたため、セグメントの加工が容易ではなかった。更に、従来のようにセグメントをスロットに挿入した後に同セグメントのスロットから突出した先端部を屈曲すると、当該先端部を屈曲するときにスロットの開口部にセグメントが押し付けられて、ステータコアとセグメントとの間の絶縁部材が破損する虞がある。これに対し、本実施形態の挿入導体２１は、スロット１５に挿入した後に折り曲げなくてもよいため、スロット１５に挿入導体２１を挿入した後に折り曲げる複雑な加工工程が省略されるとともに、挿入導体２１とステータコア１２との電気的な絶縁性を確保しやすい。
【０１７２】
（１３）ステータコア１２の軸方向の一端側では、連結導体３１〜３３の第１接続部５４及び第２接続部５５は、接続される挿入導体２１の第１当接面２３上に配置されて第１端部接続部２２と径方向に並ぶ。従って、連結導体３１〜３３の挿入導体２１に対する軸方向及び径方向の位置決めが第１当接面２３及び第１端部接続部２２によってなされる。また、ステータコア１２の軸方向の他端側では、連結導体３４，３５の第１接続部５４及び第２接続部５５は、接続される挿入導体２１の第２当接面２５上に配置されて第２端部接続部２４と径方向に並ぶ。従って、連結導体３４，３５の挿入導体２１に対する軸方向及び径方向の位置決めが第２当接面２５及び第２端部接続部２４によってなされる。よって、挿入導体２１に対する連結導体３１〜３５の組み付けを容易に行うことができる。更に、接続部５４，５５と挿入導体２１との接続時に、挿入導体２１に対する接続部５４，５５の位置ずれが抑制されるため、接続部５４，５５と挿入導体２１との接続を一層容易に行うことができる。
【０１７３】
尚、本発明の実施形態は、以下のように変更してもよい。
・上記実施形態では、全ての周方向渡り部５１，５６，６１，８１，８６は、環状部１３の径方向の厚さの範囲内に配置されている。しかしながら、周方向渡り部５１，５６，６１，８１，８６は、必ずしも環状部１３の径方向の厚さの範囲内に配置されなくてもよい。例えば、周方向渡り部５１，５６，６１，８１，８６は、ステータコア１２の軸方向の両側で、その少なくとも一部がティース１４の径方向の長さの範囲内に配置されてもよい。
【０１７４】
・図２７に示すように、ステータコア１２の軸方向の両側に配置された複数の連結導体３１〜３５を、ステータコア１２の軸方向の両側でそれぞれ絶縁性の樹脂材料１３１により一体化してもよい。尚、図２７においては、連結導体３１〜３５のうち、外周側に配置された第１連結導体３１及び第４連結導体３４のみを図示している。図２７に示す例では、ステータコア１２の軸方向の一端側に配置される複数の連結導体３１〜３３は、上記実施形態のように軸方向に層状に積層された状態でステータコア１２の軸方向の一端面と対向する側面を除いてその周囲が絶縁性の樹脂材料１３１にて覆われて同樹脂材料１３１によって一体化されている。また、ステータコア１２の軸方向の他端側に配置される複数の連結導体３４，３５は、上記実施形態のように軸方向に層状に積層された状態でステータコア１２の軸方向の他端面と対向する側面を除いてその周囲が絶縁性の樹脂材料１３１にて覆われて同樹脂材料１３１によって一体化されている。このようにすると、絶縁性の樹脂材料１３１で一体化された複数の連結導体３１〜３３をステータコア１２に対して配置することで、ステータコア１２及び該ステータコア１２のスロット１５に挿入された挿入導体２１に対する複数の連結導体３１〜３３の位置決めを同時に行うことができる。同様に、絶縁性の樹脂材料１３１で一体化された複数の連結導体３４，３５をステータコア１２に対して配置することで、ステータコア１２及び該ステータコア１２のスロット１５に挿入された挿入導体２１に対する複数の連結導体３４，３５の位置決めを同時に行うことができる。従って、複数の連結導体３１〜３５の組付け及び複数の連結導体３１〜３５の位置決めを容易に行うことができる。また、複数の連結導体３１〜３３が樹脂材料１３１にて一体化されているため、連結導体３１〜３３同士の位置ずれが抑制されている。同様に、複数の連結導体３４，３５が樹脂材料１３１にて一体化されているため、連結導体３４，３５同士の位置ずれが抑制されている。従って、連結導体３１〜３５をステータコア１２に対して組み付ける時に、連結導体３１〜３３同士若しくは連結導体３４，３５同士が位置ずれすることを抑制できる。そして、複数の連結導体３１〜３５のステータコア１２に対する組付けを容易に行うことができるため、ステータコア１２及び挿入導体２１に対する連結導体３１〜３５の組付け誤差を低減させることができる。
【０１７５】
・上記実施形態では、連結導体３１〜３５は、絶縁被膜を備えない導電性板材から形成されている。しかしながら、連結導体３１〜３５は、絶縁被膜にて外周が被覆された線材から形成されてもよい。この場合、各連結導体３１〜３５において、第１接続部５４及び第２接続部５５となる部分の絶縁被膜は除去される。そして、軸方向に隣り合う連結導体３１〜３５の層の間に、必ずしもインシュレータ７１を介在させなくてもよい。
【０１７６】
・上記実施形態では、全ての挿入導体２１は同じ形状をなしている。しかしながら、複数の挿入導体２１のうち、第１Ｕ相電源端子Ｔ１ｕ、第２Ｕ相電源端子Ｔ２ｕ、第１Ｖ相電源端子Ｔ１ｖ、第２Ｖ相電源端子Ｔ２ｖ、第１Ｗ相電源端子Ｔ１ｗ、第２Ｗ相電源端子Ｔ２ｗが接続される挿入導体２１を、これらの電源端子とそれぞれ一体化した形状の給電用導体としてもよい。各給電用導体は、給電用導体以外の挿入導体２１よりもステータコア１２の軸方向に長い棒状をなす。また、複数の挿入導体２１のうち、第１Ｕ相中性点端子Ｎ１ｕ、第２Ｕ相中性点端子Ｎ２ｕ、第１Ｖ相中性点端子Ｎ１ｖ、第２Ｖ相中性点端子Ｎ２ｖ、第１Ｗ相中性点端子Ｎ１ｗ、第２Ｗ相中性点端子Ｎ２ｗが接続される挿入導体２１を、これらの中性点端子とそれぞれ一体化した形状の中性点導体としてもよい。各中性点導体は、中性点導体以外の挿入導体２１よりもステータコア１２の軸方向に長い棒状をなす。そして、この場合、給電用導体及び中性点導体以外の挿入導体２１を全て同じ形状とすると、挿入導体２１の製造及び挿入導体２１の部品管理がより容易となる。従って、ステータ１１の製造コストをより減少させることができる。また、複数の挿入導体２１は、その形状が異なる複数種類のものがあってもよい。
【０１７７】
・図２８に示すように、ステータコア１２の軸方向の両側で、ステータコア１２に対する接続部５４，５５の軸方向の位置が等しくなるように構成してもよい。図２８に示す例では、巻線Ｍにおいて異なる相の巻線を構成する連結導体３１〜３５は、ステータコア１２の軸方向の両側で軸方向に層状に積層されている。そして、ステータコア１２の軸方向の一端側において、ステータコア１２の軸方向の一端面から最も遠い連結導体３１〜３３の層とステータコア１２の軸方向の一端面との間に積層された連結導体３１〜３３の層を構成する各連結導体３１〜３３の径方向渡り部５２，５３，５７，５８，６２，６３は、その基端と接続部５４，５５との間に軸方向に延びる軸方向渡り部１４１を有する。また、ステータコア１２の軸方向の他端側において、ステータコア１２の軸方向の他端面から最も遠い連結導体３４，３５の層とステータコア１２の軸方向の他端面との間に積層された連結導体３４，３５の層を構成する各連結導体３４，３５の径方向渡り部８２，８３，８７，８８は、その基端と接続部５４，５５との間に軸方向に延びる軸方向渡り部１４１を有する。尚、図２８においては、ステータコア１２の軸方向の一端側に積層された連結導体３１〜３３のうち第１連結導体３１のみを図示している。また、図２８においては、ステータコア１２の軸方向の他端側に積層された連結導体３４，３５のうち第４連結導体３４のみを図示している。そして、この軸方向渡り部１４１によって、ステータコア１２の両側で、ステータコア１２に対する接続部５４，５５の軸方向の位置が等しくなるように構成されている。
【０１７８】
このようにすると、ステータコア１２の軸方向の一端側にある全ての接続部５４，５５は、ステータコア１２に対する軸方向の位置が等しい。同様に、ステータコア１２の軸方向の他端側にある全ての接続部５４，５５は、ステータコア１２に対する軸方向の位置が等しい。従って、挿入導体２１と接続部５４，５５とを溶接にて接続する場合に、溶接装置の溶接ガンの軸方向の移動量を最小限に抑えることができる。よって、溶接ガンの移動にかかる時間を最小限に抑えることができる。その結果、挿入導体２１と接続部５４，５５との接続に要する時間を短くすることができるため、挿入導体２１と接続部５４，５５との接続にかかるコストを減少させることができる。そして、ステータ１１の生産性が向上するため、ひいてはステータ１１の製造コストを減少させることができる。
【０１７９】
尚、図２８に示す例において、ステータコア１２の軸方向の一端面から最も遠い連結導体３１〜３３の層を構成する各連結導体３１〜３３の径方向渡り部５２，５３，５７，５８，６２，６３にも軸方向渡り部１４１を設けてもよい。そして、ステータコア１２の軸方向の一端側で、ステータコア１２に対する接続部５４，５５の軸方向の位置が等しくなるように構成してもよい。同様に、ステータコア１２の軸方向の他端面から最も遠い連結導体３４，３５の層を構成する各連結導体３４，３５の径方向渡り部８２，８３，８７，８８にも軸方向渡り部１４１を設けて、ステータコア１２の軸方向の他端側で、ステータコア１２に対する接続部５４，５５の軸方向の位置が等しくなるように構成してもよい。
【０１８０】
・上記実施形態では、全ての挿入導体２１は、ステータコア１２の軸方向の長さが等しい。しかしながら、複数の挿入導体２１は、ステータコア１２の軸方向の長さが異なる複数種類のものがあってもよい。
【０１８１】
・図２９に示すように、ステータコア１２の軸方向の一端側において、周方向に連続して並んだ挿入導体２１が接続される複数の接続部５４，５５は、周方向にスロット１個分進むごとにステータコア１２の軸方向の一端面に最も近い連結導体３１〜３３の層からステータコア１２の軸方向の一端面から最も遠い連結導体３１〜３３の層まで１層ずつ上がる階段状に繰り返し並ぶように構成されてもよい。同様に、ステータコア１２の軸方向の他端側において、周方向に連続して並んだ挿入導体２１が接続される複数の接続部５４，５５は、周方向にスロット１個分進むごとにステータコア１２の軸方向の他端面に最も近い連結導体３４，３５の層からステータコア１２の軸方向の他端面から最も遠い連結導体３４，３５の層まで１層ずつ上がる階段状に繰り返し並ぶように構成されてもよい。図２９に示す例では、ステータコア１２の軸方向の一端側では、接続部５４，５５は、周方向の一方側（図２９において左側）にスロット１個分進むごとに、ステータコア１２の軸方向の一端面に最も近い１層目の連結導体３１〜３３から６層目の連結導体３１〜３３まで、１層ずつ順に上がる６段の階段状に配置されている。また、ステータコア１２の軸方向の他端側では、接続部５４，５５は、周方向の他方側（図２９において右側）にスロット１個分進むごとに、ステータコア１２の軸方向の他端面に最も近い１層目の連結導体３４，３５から６層目の連結導体３４，３５まで、１層ずつ順に上がる６段の階段状に配置されている。尚、図２９においては、ステータコア１２の軸方向の一端側に積層された連結導体３１〜３３のうち第１連結導体３１のみを図示している。また、図２９においては、ステータコア１２の軸方向の他端側に積層された連結導体３４，３５のうち第４連結導体３４のみを図示している。
【０１８２】
このようにすると、ステータコア１２の軸方向の一端側で挿入導体２１と接続部５４，５５とをステータコア１２の周方向に順に溶接にて接続する場合、溶接装置の溶接ガンを周方向にスロット１個分移動させるごとに、同溶接ガンをステータコア１２の軸方向に連結導体３１〜３３の層１層分ずつ移動させることで、次に挿入導体２１と接続部５４若しくは接続部５５とを接続する位置に溶接ガンを配置することができる。同様に、ステータコア１２の軸方向の他端側で挿入導体２１と接続部５４，５５とをステータコア１２の周方向に順に溶接にて接続する場合、溶接装置の溶接ガンを周方向にスロット１個分移動させるごとに、同溶接ガンをステータコア１２の軸方向に連結導体３４，３５の層１層分ずつ移動させることで、次に挿入導体２１と接続部５４若しくは接続部５５とを接続する位置に溶接ガンを配置することができる。従って、ステータコア１２に対して溶接ガンを軸方向に移動させる量を少なく抑えることができ、溶接ガンの移動にかかる時間を短縮することができる。その結果、挿入導体２１と接続部５４，５５との接続に要する時間を短くすることができるため、挿入導体２１と接続部５４，５５との接続にかかるコストを減少させることができる。そして、ステータ１１の生産性が向上するため、ひいてはステータ１１の製造コストを減少させることができる。
【０１８３】
・上記実施形態では、周方向に隣り合う任意の２つの挿入導体２１がステータコア１２の軸方向の一端側で接続される２つの接続部５４若しくは接続部５５は、当該２つの接続部５４若しくは接続部５５のうち一方の接続部が、他方の接続部を含む連結導体３１〜３３の層に対して軸方向に１層離間した連結導体３１〜３３の層に含まれるものと、当該２つの接続部５４若しくは接続部５５のうち一方の接続部が、他方の接続部を含む連結導体３１〜３３の層に対して軸方向に２層離間した連結導体３１〜３３の層に含まれるものとの何れかである。また、周方向に隣り合う任意の２つの挿入導体２１がステータコア１２の軸方向の他端側で接続される２つの接続部５４若しくは接続部５５は、当該２つの接続部５４若しくは接続部５５のうち一方の接続部が、他方の接続部を含む連結導体３４，３５の層に対して軸方向に１層離間した連結導体３４，３５の層に含まれるものと、当該２つの接続部５４若しくは接続部５５のうち一方の接続部が、他方の接続部を含む連結導体３４，３５の層に対して軸方向に２層離間した連結導体３４，３５の層に含まれるものとの何れかである。しかし、周方向に隣り合うどの２つの挿入導体２１がステータコア１２の軸方向の一端側で接続されるどの２つの第１接続部５４若しくは第２接続部５５においても、一方の接続部は、他方の接続部を含む連結導体３１〜３３の層に対して軸方向に３層以上離間しない連結導体３１〜３３の層に含まれるように構成してもよい。同様に、周方向に隣り合うどの２つの挿入導体２１がステータコア１２の軸方向の他端側で接続されるどの２つの第１接続部５４若しくは第２接続部５５においても、一方の接続部は、他方の接続部を含む連結導体３４，３５の層に対して軸方向に３層以上離間しない連結導体３４，３５の層に含まれるように構成してもよい。
【０１８４】
このようにすると、ステータコア１２の軸方向の一端側若しくは他端側で、挿入導体２１と接続部５４，５５とをステータコア１２の周方向に順に溶接にて接続する場合に、ステータコア１２に対して溶接装置の溶接ガンを軸方向に移動させる量は、最大で連結導体の層をステータコアの軸方向に２層跨ぐ量となる。従って、ステータコア１２に対して溶接ガンを軸方向に移動させる量を少なく抑えることができ、溶接ガンの移動にかかる時間を短縮することができる。その結果、挿入導体２１と接続部５４，５５との接続に要する時間を短くすることができるため、挿入導体２１と接続部５４，５５との接続にかかるコストを減少させることができる。そして、ステータ１１の生産性が向上するため、ひいてはステータ１１の製造コストを減少させることができる。
【０１８５】
また、ステータコア１２の軸方向の一端側で、周方向に隣り合う２つの挿入導体２１がステータコア１２の軸方向の一端側で接続される２つの第１接続部５４若しくは第２接続部５５は、一方の接続部を含む連結導体３１〜３３の層と、他方の接続部を含む連結導体３１〜３３の層とが軸方向に３層以上離間するものがあってもよい。同様に、ステータコア１２の軸方向の他端側で、周方向に隣り合う２つの挿入導体２１がステータコア１２の軸方向の一端側で接続される２つの第１接続部５４若しくは第２接続部５５は、一方の接続部を含む連結導体３４，３５の層と、他方の接続部を含む連結導体３４，３５の層とが軸方向に３層以上離間するものがあってもよい。
【０１８６】
・上記実施形態では、挿入導体２１と接続部５４，５５とは、アーク溶接によって接続される。しかしながら、挿入導体２１と接続部５４，５５とは、アーク溶接以外の溶接（例えば、スポット溶接等）によって接続されてもよい。
【０１８７】
・上記実施形態では、異なる相の巻線を構成する連結導体３１〜３５は、ステータコア１２の軸方向の両側で、軸方向に完全にずれて軸方向に層状に積層されている。しかしながら、異なる相の巻線を構成する連結導体３１〜３５は、必ずしも軸方向に完全にずれていなくてもよい。例えば、連結導体３１〜３３は、軸方向に隣り合う連結導体３１〜３５の層が、ステータコア１２の周方向の何れかの位置から見て径方向に重なる部分を有するように配置されてもよい。
【０１８８】
・上記実施形態では、同相の巻線を構成する複数の連結導体３１〜３５は、ステータコア１２の軸方向の両側で、ステータコア１２の軸方向の端面からの高さが等しく配置されている。しかしながら、同相の巻線を構成する複数の連結導体３１〜３５は、ステータコア１２の軸方向の両側で、ステータコア１２の軸方向の端面からの高さが必ずしも等しく配置されなくてもよい。例えば、ステータコア１２の軸方向の一端側に積層された第１系統の３相巻線Ｍ１のＵ相の巻線Ｍ１ｕを構成する連結導体３１〜３３において、連結導体３１，３３に対して連結導体３２を軸方向にずらした位置に配置してもよい。
【０１８９】
・上記実施形態では、各挿入導体２１は、ステータコア１２の軸方向に沿った直線状をなしているが、挿入導体２１の形状はこれに限らない。例えば、挿入導体２１は、ステータコア１２の軸方向の両端部のうち一方の端部が屈曲された形状であってもよい。
【０１９０】
・上記実施形態では、第１連結導体３１の第１周方向渡り部５１は、ステータコア１２の周方向に沿うようにその長手方向の複数箇所が屈曲された形状をなしている。しかしながら、第１周方向渡り部５１は、ステータコア１２の周方向に沿うように湾曲された円弧状であってもよい。また、第１周方向渡り部５１は、ステータコア１２の周方向に沿うように延びる直線状をなすものであってもよい。このことは、第２周方向渡り部５６、第３周方向渡り部６１、第４周方向渡り部８１及び第５周方向渡り部８６についても同様である。
【０１９１】
・上記実施形態では、第１連結導体３１において、第１径方向渡り部５２，５３は、第１周方向渡り部５１の周方向の両端部から径方向に沿って径方向内側に延びている。しかしながら、第１径方向渡り部５２，５３は、第１周方向渡り部５１の周方向の両端部から径方向に沿って径方向外側に延びるものであってもよい。このことは、第２連結導体３２、第３連結導体３３、第４連結導体３４及び第５連結導体３５においても同様である。
【０１９２】
・上記実施形態では、第１連結導体３１においては、第１周方向渡り部５１が、第１径方向渡り部５２の軸方向の幅Ｈ２の範囲内且つ第１径方向渡り部５３の軸方向の幅Ｈ３の範囲内に位置する。しかしながら、第１連結導体３１において、第１周方向渡り部５１は、第１径方向渡り部５２の軸方向の幅Ｈ２の範囲内若しくは第１径方向渡り部５３の軸方向の幅Ｈ３の範囲内にその一部が位置するように形成されてもよい。そして、第２連結導体３２、第３連結導体３３、第４連結導体３４及び第５連結導体３５についても同様にしてもよい。このようにしても、各連結導体３１〜３５におけるステータコア１２の軸方向の幅が広くなることが抑制される。従って、コイルエンドの軸方向の高さをより抑えることができる。また、第１連結導体３１において、第１周方向渡り部５１は、第１径方向渡り部５２の軸方向の幅Ｈ２の範囲及び第１径方向渡り部５３の軸方向の幅Ｈ３の範囲の外に形成されてもよい。そして、第２連結導体３２、第３連結導体３３、第４連結導体３４及び第５連結導体３５についても同様にしてもよい。
【０１９３】
・上記実施形態では、異なる相の巻線を構成する連結導体３１〜３５は、ステータコア１２の軸方向に積層されている。しかしながら、異なる相の巻線を構成する連結導体３１〜３５は、互いに径方向に離間した状態で径方向に重なるように配置されてもよい。但し、この場合においても、同相の巻線を構成する複数の連結導体３１〜３５は、互いに軸方向に重ならない。
【０１９４】
・上記実施形態では、挿入導体２１は、絶縁被膜を備えない導線性板材から形成されている。しかしながら、挿入導体２１は、絶縁被膜にて外周が被覆された線材から形成されてもよい。この場合、各挿入導体２１におけるステータコア１２の軸方向（挿入導体２１の長手方向に同じ）の両端部は、絶縁被膜が除去される。
【０１９５】
・巻線Ｍの巻回態様は、上記実施形態の態様に限らず、挿入導体２１と連結導体３１〜３５とを組み合わせて、形成するモータの仕様に応じた巻回態様とすればよい。
・上記実施形態では、ステータコア１２は、６０本のティース１４及び６０個のスロット１５を有する。しかしながら、ステータコア１２が備えるティース１４の数及びスロット１５の数は、６０個に限らず、適宜変更してもよい。また、ティース１４の数及びスロット１５の数に応じて、挿入導体２１の数及び連結導体３１〜３５の数を適宜変更してもよい。
【０１９６】
上記実施形態及び上記各変更例から把握できる技術的思想を以下に記載する。
（イ）請求項２乃至請求項９の何れか１項に記載のステータにおいて、全ての前記挿入導体は同じ形状をなすことを特徴とするステータ。同構成によれば、挿入導体の製造及び挿入導体の部品管理がより容易となる。従って、ステータの製造コストを一層減少させることができる。
【符号の説明】
【０１９７】
１…モータとしてのブラシレスモータ、１１…ステータ、１２…ステータコア、１３…環状部、１４…ティース、１５…スロット、２１…挿入導体、３１…連結導体としての第１連結導体、３２…連結導体としての第２連結導体、３３…連結導体としての第３連結導体、３４…連結導体としての第４連結導体、３５…連結導体としての第５連結導体、５１…周方向渡り部としての第１周方向渡り部、５２，５３…径方向渡り部としての第１径方向渡り部、５４…接続部としての第１接続部、５５…接続部としての第２接続部、５６…周方向渡り部としての第２周方向渡り部、５７，５８…径方向渡り部としての第２径方向渡り部、６１…周方向渡り部としての第３周方向渡り部、６２，６３…径方向渡り部としての第３径方向渡り部、７１…インシュレータ、８１…周方向渡り部としての第４周方向渡り部、８２，８３…径方向渡り部としての第４径方向渡り部、８６…周方向渡り部としての第５周方向渡り部、８７，８８…径方向渡り部としての第５径方向渡り部、１３１…樹脂材料、Ｈ１…周方向渡り部としての第１周方向渡り部の軸方向の幅、Ｈ２，Ｈ３…径方向渡り部としての第２径方向渡り部の軸方向の幅、Ｍ１ｕ，Ｍ１ｖ，Ｍ１ｗ，Ｍ２ｕ，Ｍ２ｖ，Ｍ２ｗ…巻線。
【図１】
2014087186.tif 000003
【図２】
2014087186.tif 000004
【図３】
2014087186.tif 000005
【図４】
2014087186.tif 000006
【図５】
2014087186.tif 000007
【図６】
2014087186.tif 000008
【図７】
2014087186.tif 000009
【図８】
2014087186.tif 000010
【図９】
2014087186.tif 000011
【図１０】
2014087186.tif 000012
【図１１】
2014087186.tif 000013
【図１２】
2014087186.tif 000014
【図１３】
2014087186.tif 000015
【図１４】
2014087186.tif 000016
【図１５】
2014087186.tif 000017
【図１６】
2014087186.tif 000018
【図１７】
2014087186.tif 000019
【図１８】
2014087186.tif 000020
【図１９】
2014087186.tif 000021
【図２０】
2014087186.tif 000022
【図２１】
2014087186.tif 000023
【図２２】
2014087186.tif 000024
【図２３】
2014087186.tif 000025
【図２４】
2014087186.tif 000026
【図２５】
2014087186.tif 000027
【図２６】
2014087186.tif 000028
【図２７】
2014087186.tif 000029
【図２８】
2014087186.tif 000030
【図２９】
2014087186.tif 000031